(57)【要約】【課題】表示品位の低下を最小限に留めつつ縦クロストークを抑圧する。【解決手段】走査線、複数のデータ線、複数の画素回路、及び駆動回路を具備する電気光学装置１に備えられる信号生成回路２０であって、入力画像データＤinに基づき画素回路の各々に対応する補正データＤhを生成する生成部２２と、走査線３２の延在方向に隣り合う２つの画素回路に対応する２つの補正データＤhの差分を表す値が閾値以上のときに当該２つの画素回路を境界画素回路として特定する特定部２５と、境界画素回路の少なくとも一方を含み走査線の延在方向に連続する所定数の画素回路に対応する所定数の補正データＤhの各値が境界画素回路に対応する２つの補正データＤhの示す２値の間の値となるように修正して更新後補正データＤkを生成する更新部２６と、更新後補正データＤkに基づき入力画像データＤinを補正した画像データＤxを駆動回路に供給する補正部２７とを備える。【選択図】図３
2014178362.tif 000002
【特許請求の範囲】
【請求項１】
走査線と、
第１のデータ線、及び、前記第１のデータ線に隣り合う第２のデータ線を含む、複数のデータ線と、
前記走査線及び前記第１のデータ線に対応して設けられる第１の画素回路、並びに、前記走査線及び前記第２のデータ線に対応して設けられる第２の画素回路を含む、複数の画素回路と、
画像データが供給されると前記画像データに基づいて生成した画像信号を前記データ線を介して当該データ線に対応して設けられる画素回路に供給する駆動部と、
を具備する電気光学装置に備えられ、
前記駆動部に前記画像データを供給する表示制御回路であって、
現在よりも単位時間だけ過去から現在までに供給された入力画像データに基づいて、前記第１のデータ線に供給される前記画像信号の電圧を現在よりも単位時間だけ過去から現在まで積分した積分値に対応する第１の補正データと、前記第２のデータ線に供給される前記画像信号の電圧を現在よりも単位時間だけ過去から現在まで積分した積分値に対応する第２の補正データと、を含む複数の補正データを生成する生成部と、
前記第１の補正データと、前記第２の補正データと、の差分を表す補正差分値が、所定の閾値以上である場合に、前記第１の補正データにより示される値及び前記第２の補正データにより示される値のうち少なくとも一方の値が、前記第１の補正データにより示される値及び前記第２の補正データにより示される値の間の値となるように修正することで、前記複数の補正データを更新する更新部と、
前記更新部が更新した更新後の補正データに基づいて、現在の入力画像データを補正して画像データを生成し、生成した前記画像データを前記駆動部に供給する補正部と、
を備える、
ことを特徴とする、表示制御回路。
【請求項２】
走査線と、複数のデータ線と、
前記走査線及び前記複数のデータ線の交差に対応して設けられる複数の画素回路と、
画像データが供給されると前記画像データに基づいて生成した画像信号を前記データ線を介して当該データ線に対応して設けられる画素回路に供給する駆動部と、
を具備する電気光学装置に備えられ、
前記駆動部に前記画像データを供給する表示制御回路であって、
現在よりも単位時間だけ過去から現在までに供給された入力画像データに基づいて、各データ線に供給される前記画像信号の電圧を現在よりも単位時間だけ過去から現在まで積分した積分値に対応する補正データを、前記複数の画素回路の各々に対応して生成する生成部と、
前記複数の画素回路のうち前記走査線の延在する方向に互いに隣り合う２つの画素回路に対応する２つの補正データの差分を表す補正差分値が、所定の閾値以上である場合に、当該２つの画素回路を、境界画素回路として特定する特定部と、
前記複数の画素回路のうち前記境界画素回路を構成する２つの画素回路の少なくとも一方を含み、前記走査線の延在する方向に連続して設けられる所定数の画素回路を特定するとともに、特定した前記所定数の画素回路に対応する所定数の補正データの各々により示される値が、前記境界画素回路を構成する２つの画素回路に対応する２つの補正データにより示される２つの値の間の値となるように修正することで、前記複数の補正データを更新する更新部と、
前記更新部が更新した更新後の補正データに基づいて、現在の入力画像データを補正して前記画像データを生成し、生成した前記画像データを前記駆動部に供給する補正部と、
を備える、
ことを特徴とする、表示制御回路。
【請求項３】
前記更新部は、
前記所定数の画素回路が、前記境界画素回路を構成する２つの画素回路の両方を含み、且つ、
前記所定数の画素回路のうち、前記境界画素回路を構成する２つの画素回路の一方の画素回路から見て当該２つの画素回路の他方の画素回路側に設けられる画素回路の個数と、前記所定数の画素回路のうち、前記他方の画素回路から見て前記一方の画素回路側に設けられる画素回路の個数とが、等しくなるように、
前記所定数の画素回路を特定する、
ことを特徴とする、請求項２に記載の表示制御回路。
【請求項４】
前記更新部は、
前記所定数の画素回路に対応する所定数の更新後の補正データの各々により示される値が、互いに等しい値となるように、前記複数の補正データを更新する、
ことを特徴とする、請求項２または３に記載の表示制御回路。
【請求項５】
前記更新部は、
前記境界画素回路を構成する２つの画素回路の両方を含むように、前記前記所定数の画素回路を特定し、
前記所定数の画素回路のうち、前記境界画素回路を構成する２つの画素回路の一方の画素回路から見て当該２つの画素回路の他方の画素回路側に設けられる画素回路に対応する更新後の補正データにより示される値が、前記所定数の画素回路のうち、前記他方の画素回路から見て前記一方の画素回路側に設けられる画素回路に対応する更新後の補正データにより示される値と、前記他方の画素回路に対応する更新前の補正データにより示される値と、の間の値となるように、前記複数の補正データを更新する、
ことを特徴とする、請求項２または３に記載の表示制御回路。
【請求項６】
前記電気光学装置が表示する画像の中に表される所定のオブジェクトの、前記単位時間における、前記走査線の延在する方向の移動量を検出する検出部を備え、
前記更新部は、
前記所定数を、前記移動量に応じて定める、
ことを特徴とする、請求項２乃至５のうち何れか１項に記載の表示制御回路。
【請求項７】
前記移動量は、
前記画像が前記単位時間において移動した画素の数であり、
前記更新部は、
前記所定数の画素回路のうち、前記境界画素回路を構成する２つの画素回路の一方の画素回路から見て当該２つの画素回路の他方の画素回路側に設けられる画素回路の個数、及び、前記所定数の画素回路のうち、前記他方の画素回路から見て前記一方の画素回路側に設けられる画素回路の個数の、一方または双方が、前記移動量と等しくなるように、前記所定数の画素回路を特定する、
ことを特徴とする、請求項６に記載の表示制御回路。
【請求項８】
請求項１乃至７のうち何れか１項に記載の表示制御回路と、
走査線と、複数のデータ線と、
前記走査線及び前記複数のデータ線の交差に対応して設けられる複数の画素回路と、
前記画像データが供給されると前記画像データに基づいて生成した画像信号を前記データ線を介して当該データ線に対応して設けられる画素回路に供給する駆動部と、
を備える、
ことを特徴とする、電気光学装置。
【請求項９】
前記駆動部は、
所定周期で基準レベルを中心として信号の極性が反転するように前記画像信号を生成し、
前記生成部は、
現在よりも単位時間だけ過去から現在までに供給された前記入力画像データのうち、一のデータ線に対応する入力画像データを、前記極性に応じて加算及び減算の一方を実行することで得られる積算値に基づいて、前記一のデータ線に対応して設けられる画素回路に対応する補正データを生成する、
ことを特徴とする、請求項８に記載の電気光学装置。
【請求項１０】
請求項８または９に記載の電気光学装置を具備する電子機器。
【発明の詳細な説明】
【技術分野】
【０００１】
本発明は、表示制御回路、電気光学装置、及び、電子機器に関する。
【背景技術】
【０００２】
電気エネルギーによって光学特性が変化する電気光学素子を備えた電気光学装置の一例として液晶表示装置が知られている。液晶表示装置は、複数のデータ線と複数の走査線を備え、データ線と走査線との交差に対応して画素回路が設けられている。画素回路は、選択トランジスターと電気光学素子たる液晶素子とを含む。選択トランジスターは走査線を介して供給される走査信号に応じてオン状態とオフ状態が制御される。選択トランジスターがオン状態になると、データ線を介して供給される画像信号が液晶素子に印加され、選択トランジスターがオフになると、液晶素子に画像信号の電圧が保持される。即ち、画素回路に画像信号を書き込んでから次に画像信号を書き込むまでの間は、最初に書き込んだ画像信号の電圧が液晶素子に保持され、液晶素子は画像信号の電圧に応じた透過率に制御される。電気光学装置の駆動では、複数の走査線を順番に選択し、選択した走査線に対応する画素回路にデータ線を介して画像信号を書き込む。このため、データ線の電圧は、水平走査期間ごとに変化する。
ところで、データ線と液晶素子とは、浮遊容量によって容量結合している。このため、ある走査線に対応する画素回路に画像信号を書き込んでから、次に画像信号を書き込むまでの期間において、データ線の電圧が変動すると、容量カップリングによって液晶素子で保持する画像信号の電圧が変動してしまう。この結果、表示画像の品質が劣化する。特に、液晶表示装置においては、基準レベルを中心として画像信号の極性を所定周期（例えば、１フィールド）で反転する極性反転駆動を採用する。このため、データ線の電圧が大きく変動し、いわゆる縦クロストークと呼ばれる現象が発生することがある。
【０００３】
そこで、縦クロストークを改善するため、メモリに１単位期間分の画像データを記憶させ、メモリに蓄積した１単位期間分の画像データに基づいて縦クロストークを補正する、いわゆる縦クロストーク補正に関する技術が知られている（例えば、特許文献１及び２）。
また、一の単位期間における画像データと、前記一の単位期間に後続する他の単位期間における画像データとの双方に基づいて、前記他の単位期間において縦クロストーク補正を行う技術が知られている（例えば、特許文献３）。
【先行技術文献】
【特許文献】
【０００４】
【特許文献１】特開２００３−３３００９３号公報
【特許文献２】特許３８６９４６４号公報
【特許文献３】特許４８１６０３１号公報
【発明の概要】
【発明が解決しようとする課題】
【０００５】
縦クロストーク補正は、一の単位期間に供給される画像データに基づいて、当該一の単位期間に後続する他の単位期間において実行される。すなわち、縦クロストーク補正は、一の単位期間とこれに後続する他の単位期間とで同一の画像が表示されることを前提とした処理である。
そのため、一の単位期間と他の単位期間とで異なる画像が表示される場合、例えば、表示される画像が動画である場合において、縦クロストーク補正を実行すると、表示画像の中で縦クロストーク補正を施す必要が無い部分に対して縦クロストーク補正を施し、逆に、表示画像の中で縦クロストーク補正を施す必要がある部分に対して縦クロストーク補正を施さないという事態が生じる。
この場合、表示される画像のうち、縦クロストーク補正を施す必要が無いのに縦クロストーク補正が施される部分とその周縁部分との間、及び、縦クロストーク補正を施す必要があるのに縦クロストーク補正が施されない部分とその周縁部分との間において、表示階調が急激に変化することがある。そして、このような表示階調の変化が視認される結果、表示品位が低下するという問題があった。
【０００６】
本発明は上述した事情に鑑みてなされたものあり、例えば動画のような、２つの連続する単位期間の間で異なる画像を表示する場合であっても、表示品位の低下を最小限に留めつつ、縦クロストークを抑圧することを解決課題とする。
【課題を解決するための手段】
【０００７】
以上の課題を解決するために、本発明に係る表示制御回路は、走査線と、第１のデータ線、及び、前記第１のデータ線に隣り合う第２のデータ線を含む、複数のデータ線と、前記走査線及び前記第１のデータ線に対応して設けられる第１の画素回路、並びに、前記走査線及び前記第２のデータ線に対応して設けられる第２の画素回路を含む、複数の画素回路と、画像データが供給されると前記画像データに基づいて生成した画像信号を前記データ線を介して当該データ線に対応して設けられる画素回路に供給する駆動部と、を具備する電気光学装置に備えられ、前記駆動部に前記画像データを供給する表示制御回路であって、現在よりも単位時間だけ過去から現在までに供給された入力画像データに基づいて、前記第１のデータ線に供給される前記画像信号の電圧を現在よりも単位時間だけ過去から現在まで積分した積分値に対応する第１の補正データと、前記第２のデータ線に供給される前記画像信号の電圧を現在よりも単位時間だけ過去から現在まで積分した積分値に対応する第２の補正データと、を含む複数の補正データを生成する生成部と、前記第１の補正データと、前記第２の補正データと、の差分を表す補正差分値が、所定の閾値以上である場合に、前記第１の補正データにより示される値及び前記第２の補正データにより示される値のうち少なくとも一方の値が、前記第１の補正データにより示される値及び前記第２の補正データにより示される値の間の値となるように修正することで、前記複数の補正データを更新する更新部と、前記更新部が更新した更新後の補正データに基づいて、現在の入力画像データを補正して画像データを生成し、生成した前記画像データを前記駆動部に供給する補正部と、を備える、ことを特徴とする。
【０００８】
この発明によれば、走査線の延在方向において互いに隣り合う第１の画素回路及び第２の画素回路にそれぞれ対応する第１の補正データ及び第２の補正データの差分を表す値が、所定の閾値以上となる場合、第１の補正データの示す値と第２の補正データの示す値との差分を小さくするように補正データを更新する。
このため、縦クロストーク補正を行うことに起因する、急激な表示階調の変化が発生する確率を低減させることができる。より具体的には、縦クロストーク補正を施す必要が無いのに縦クロストーク補正が施される部分とその周縁部分との間の領域、または、縦クロストーク補正を施す必要があるのに縦クロストーク補正が施されない部分とその周縁部分との間の領域等、表示階調が大きく異なる２つの部分の間の領域における表示階調の変化を、補正データを更新しない場合と比較して緩やかにすることが可能となる。
その結果、縦クロストーク補正を行う場合であっても、表示される画像において、縦クロストーク補正に起因した表示階調の急激な変化が表示される可能性を低減することが可能となり、動画等の画像を表示する場合にも、高い表示品位を実現することができる。
【０００９】
なお、上述した表示制御回路において、前記更新部は、例えば、前記第１の補正データにより示される値及び前記第２の補正データにより示される値のうち少なくとも一方の値が、前記第１の補正データにより示される値及び前記第２の補正データにより示される値のうち小さい方の値を上回り、且つ、大きい方の値を下回るように、前記複数の補正データを更新することを特徴とするものであればよい。
【００１０】
また、本発明に係る表示制御回路は、走査線と、複数のデータ線と、前記走査線及び前記複数のデータ線の交差に対応して設けられる複数の画素回路と、画像データが供給されると前記画像データに基づいて生成した画像信号を前記データ線を介して当該データ線に対応して設けられる画素回路に供給する駆動部と、を具備する電気光学装置に備えられ、前記駆動部に前記画像データを供給する表示制御回路であって、現在よりも単位時間だけ過去から現在までに供給された入力画像データに基づいて、各データ線に供給される前記画像信号の電圧を現在よりも単位時間だけ過去から現在まで積分した積分値に対応する補正データを、前記複数の画素回路の各々に対応して生成する生成部と、前記複数の画素回路のうち前記走査線の延在する方向に互いに隣り合う２つの画素回路に対応する２つの補正データの差分を表す補正差分値が、所定の閾値以上である場合に、当該２つの画素回路を、境界画素回路として特定する特定部と、前記複数の画素回路のうち前記境界画素回路を構成する２つの画素回路の少なくとも一方を含み、前記走査線の延在する方向に連続して設けられる所定数の画素回路を特定するとともに、特定した前記所定数の画素回路に対応する所定数の補正データの各々により示される値が、前記境界画素回路を構成する２つの画素回路に対応する２つの補正データにより示される２つの値の間の値となるように修正することで、前記複数の補正データを更新する更新部と、前記更新部が更新した更新後の補正データに基づいて、現在の入力画像データを補正して前記画像データを生成し、生成した前記画像データを前記駆動部に供給する補正部と、を備える、ことを特徴とする。
【００１１】
この発明によれば、走査線の延在方向において互いに隣り合う２つの画素回路に対応する２つの補正データの差分を表す補正差分値が、所定の閾値以上となる場合、当該２つの画素回路が境界画素回路として特定され、その後、境界画素回路を構成する２つの画素回路の一方または双方を含む所定数の画素回路が特定される。そして、所定数の画素回路に対応する所定数の補正データが、境界画素回路を構成する２つの画素回路に対応する２つの補正データの間の値となるように更新される。
このため、縦クロストーク補正を行うことに起因する、急激な表示階調の変化が発生する確率を低減させることができる。より具体的には、表示階調が大きく異なる２つの部分の間の領域における表示階調の変化を、補正データを更新しない場合と比較して緩やかにすることが可能となる。
その結果、縦クロストーク補正を行う場合であっても、表示される画像において、縦クロストーク補正に起因した表示階調の急激な変化が表示される可能性を低減することが可能となり、動画等の画像を表示する場合にも、高い表示品位を実現することができる。
【００１２】
なお、上述した表示制御回路において、前記更新部は、例えば、前記所定数の画素回路に対応する所定数の更新後の補正データの各々により示される値が、前記境界画素回路を構成する２つの画素回路に対応する２つの更新前の補正データにより示される２つの値のうち小さい方の値を上回り、且つ、前記２つの値のうち大きい方の値を下回るように、前記複数の補正データを更新するものであればよい。
【００１３】
また、上述した表示制御回路において、前記更新部は、前記所定数の画素回路が、前記境界画素回路を構成する２つの画素回路の両方を含み、且つ、前記所定数の画素回路のうち、前記境界画素回路を構成する２つの画素回路の一方の画素回路から見て当該２つの画素回路の他方の画素回路側に設けられる画素回路の個数と、前記所定数の画素回路のうち、前記他方の画素回路から見て前記一方の画素回路側に設けられる画素回路の個数とが、等しくなるように、前記所定数の画素回路を特定するものであってもよい。
【００１４】
また、上述した表示制御回路において、前記更新部は、前記所定数の画素回路に対応する所定数の更新後の補正データの各々により示される値が、互いに等しい値となるように、前記複数の補正データを更新するものであってもよい。
【００１５】
また、上述した表示制御回路において、前記更新部は、前記境界画素回路を構成する２つの画素回路の両方を含むように、前記前記所定数の画素回路を特定し、前記所定数の画素回路のうち、前記境界画素回路を構成する２つの画素回路の一方の画素回路から見て当該２つの画素回路の他方の画素回路側に設けられる画素回路に対応する更新後の補正データにより示される値が、前記所定数の画素回路のうち、前記他方の画素回路から見て前記一方の画素回路側に設けられる画素回路に対応する更新後の補正データにより示される値と、前記他方の画素回路に対応する更新前の補正データにより示される値と、の間の値となるように、前記複数の補正データを更新するものであってもよい。
【００１６】
また、上述した表示制御回路は、前記電気光学装置が表示する画像の中に表される所定のオブジェクトの、前記単位時間における、前記走査線の延在する方向の移動量を検出する検出部を備え、前記更新部は、前記所定数を、前記移動量に応じて定めるものであってもよい。
【００１７】
通常、縦クロストーク補正を行うことに起因する急激な表示階調の変化は、表示される画像が動画である場合に、当該動画の中に表されるオブジェクトの移動により生じる。
この態様によれば、オブジェクトの移動量を検出するため、表示階調が大きく異なる２つの部分の間の領域の大きさを的確に把握することが可能となる。従って、縦クロストーク補正を行う場合であっても、表示される画像において、縦クロストーク補正に起因する表示階調の急激な変化が表示される可能性を低減することが可能となり、動画等の画像を表示する場合にも、高い表示品位を実現することができる。
【００１８】
なお、前記検出部は、現在よりも単位時間だけ過去において、前記電気光学装置に表示される画像の中に表される、前記特定部が特定した前記境界画素回路に対応する２本のデータ線のうち何れかを端部とするオブジェクトが、前記単位時間において、前記走査線の延在する方向に移動した移動量を検出することを特徴とするものであってもよい。
【００１９】
また、上述した表示制御回路において、前記移動量は、前記画像が前記単位時間において移動した画素の数であり、前記更新部は、前記所定数の画素回路のうち、前記境界画素回路を構成する２つの画素回路の一方の画素回路から見て当該２つの画素回路の他方の画素回路側に設けられる画素回路の個数、及び、前記所定数の画素回路のうち、前記他方の画素回路から見て前記一方の画素回路側に設けられる画素回路の個数の、一方または双方が、前記移動量と等しくなるように、前記所定数の画素回路を特定する、ことを特徴とするものであってもよい。
【００２０】
また、本発明に係る電気光学装置は、上述した表示制御回路と、走査線と、複数のデータ線と、前記走査線及び前記複数のデータ線の交差に対応して設けられる複数の画素回路と、前記画像データが供給されると前記画像データに基づいて生成した画像信号を前記データ線を介して当該データ線に対応して設けられる画素回路に供給する駆動部と、を備える、ことを特徴とする。
【００２１】
また、上述した電気光学装置において、前記駆動部は、所定周期で基準レベルを中心として信号の極性が反転するように前記画像信号を生成し、前記生成部は、現在よりも単位時間だけ過去から現在までに供給された前記入力画像データのうち、一のデータ線に対応する入力画像データを、前記極性に応じて加算及び減算の一方を実行することで得られる積算値に基づいて、前記一のデータ線に対応して設けられる画素回路に対応する補正データを生成する、ことを特徴とするものであってもよい。
【００２２】
また、本発明に係る電子機器は、上記のうち何れかの表示制御回路を備える電気光学装置、または、上記のうち何れかの電気光学装置を備えることを特徴とする。このような電子機器として、カーナビゲーション装置、パーソナルコンピュータ、テレビ、投射型表示装置、及び、携帯電話等が該当する。
【図面の簡単な説明】
【００２３】
【図１】本発明の第１実施形態に係る電気光学装置のブロック図である。
【図２】画素回路の回路図である。
【図３】信号生成回路のブロック図である。
【図４】電気光学装置の動作を説明するためのタイミングチャートである。
【図５】第１記憶部に記憶される第１積算データを説明するための説明図である。
【図６】第２記憶部に記憶される第２積算データを説明するための説明図である。
【図７】積算データを更新する処理を説明するための説明図である。
【図８】縦クロストーク補正を説明するための説明図である。
【図９】補正データと表示階調との関係を説明するための説明図である。
【図１０】縦クロストーク補正を説明するための説明図である。
【図１１】補正データと表示階調との関係を説明するための説明図である。
【図１２】更新後補正データと表示階調との関係を説明するための説明図である。
【図１３】本発明の第２実施形態に係る信号生成回路のブロック図である。
【図１４】更新後補正データと表示階調との関係を説明するための説明図である。
【図１５】電子機器（投射型表示装置）の斜視図である。
【図１６】電子機器（パーソナルコンピュータ）の斜視図である。
【図１７】電子機器（携帯電話機）の斜視図である。
【図１８】本発明の変形例３に係る更新後補正データの生成方法を説明するための説明図である。
【発明を実施するための形態】
【００２４】
以下、本発明を実施するための形態について図面を参照して説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２５】
＜Ａ．第１実施形態＞
図１は、本発明の第１実施形態に係る電気光学装置１のブロック図である。
電気光学装置１は、電気光学パネル１０と信号生成回路２０とを具備する。電気光学パネル１０は、複数の画素回路ＰXが配列された表示部３０と、各画素回路ＰXを駆動する駆動回路４０と、を含む。
表示部３０には、ｘ方向に延在するＭ本の走査線３２と、ｘ方向に交差するｙ方向に延在するＮ本のデータ線３４とが形成される（Ｍ及びＮは自然数）。複数の画素回路ＰXは、表示部３０において、走査線３２とデータ線３４との各交差に対応して縦Ｍ行×横Ｎ列の行列状に配列される。なお、本実施形態において、画素回路ＰXは、Ｍ本の走査線３２及びＮ本のデータ線３４によるＭ×Ｎ個の交差の全てに配置されるが、これらＭ×Ｎ個の交差のうち一部に配置されるものであっても構わない。
【００２６】
駆動回路４０は、各画素回路ＰXに対応する画素の表示階調を制御する画像信号ＶD[n]（ｎ＝１〜Ｎ）を各画素回路ＰXに供給する回路であり、走査線駆動回路４２とデータ線駆動回路４４とを具備する。
走査線駆動回路４２は、各走査線３２に対応する走査信号Ｙ[1]〜Ｙ[M]を各走査線３２に対して供給することで各走査線３２を順次に選択する。具体的には、走査信号Ｙ[m]（ｍ＝１〜Ｍ）が所定の選択電位に設定される（すなわち第ｍ行の走査線３２が選択される）ことで第ｍ行の走査線３２が選択される。
データ線駆動回路４４は、走査線駆動回路４２による走査線３２の選択に同期してＮ本のデータ線３４の各々に画像信号ＶD[1]〜ＶD[N]を供給する。画像信号ＶD[n]（ｎ＝１〜Ｎ）は、後述する入力画像データＤinが各画素回路ＰXに対応する画素に対して指定する表示階調に応じて可変に設定される。
本実施形態では、いわゆる焼き付きを防止するため、後述する液晶素子６０に印加する電圧の極性を所定周期で反転させる極性反転駆動を採用する。この例では、画像信号ＶD[n]の信号レベルを、所定の基準電位Ｖrefを中心として単位期間毎に反転させる。
ここで、単位期間とは、画素回路ＰXを駆動する動作の１単位となる期間である。本実施形態では、単位期間の有する時間長を単位時間と称する。本実施形態では、単位期間は垂直走査期間となっている。但し、単位期間は任意に設定することができ、例えば、垂直走査期間の自然数倍であってもよい。
【００２７】
図２は、各画素回路ＰXの回路図である。図２に示すように、各画素回路ＰXは、液晶素子６０と選択スイッチＳWとを含む。液晶素子６０は、相互に対向する画素電極６２及び共通電極６４と両電極間の液晶６６とで構成された電気光学素子である。画素電極６２と共通電極６４との間の印加電圧に応じて液晶６６の透過率（表示階調）が変化する。なお、液晶素子６０に並列に補助容量を接続した構成も採用され得る。選択スイッチＳWは、例えば、走査線３２にゲートが接続されたＮチャネル型のトランジスターで構成され、液晶素子６０とデータ線３４との間に設けられ両者の電気的な接続（導通／絶縁）を制御する。走査信号Ｙ[m]が選択電位に設定されることで第ｍ行の各画素回路ＰXにおける選択スイッチＳWが同時にオン状態に遷移する。
【００２８】
画素回路ＰXに対応する走査線３２が選択され、当該画素回路ＰXの選択スイッチＳWがオン状態に制御されたとき、当該画素回路ＰXには、データ線３４から当該画素回路ＰXに画像信号ＶD[n]が供給され、当該画素回路ＰXの液晶素子６０には、画像信号ＶD[n]に応じた電圧が印加される。これにより、当該画素回路ＰXの液晶６６は、画像信号ＶD[n]に応じた透過率に設定され、当該画素回路ＰXに対応する画素は、画像信号ＶD[n]に応じた階調を表示する。
【００２９】
画素回路ＰXの液晶素子６０に画像信号ＶD[n]に応じた電圧が印加された後、選択スイッチＳWがオフ状態となると、理想的には当該画像信号ＶD[n]に対応する印加電圧が保持される。従って、理想的には、各画素は、選択スイッチＳWがオン状態となった後から、次にオン状態となるまでの期間において、画像信号ＶD[n]に応じた階調を表示する。
しかし、実際には図２に示すように、データ線３４と画素電極６２との間（または、データ線３４と、画素電極６２及び選択スイッチＳWを電気的に接続する配線との間）には、容量Ｃａが寄生する。そのため、選択スイッチＳWがオフ状態である間に、データ線３４の電位変動が容量Ｃａを介して画素電極６２に伝播し、液晶素子６０の印加電圧が変動することがある。この場合には、当該画素は、画像信号ＶD[n]に応じた階調を正確に表示できなくなる。
【００３０】
説明を図１に戻す。図１に示すように、信号生成回路２０には、図示省略した上位装置から、入力画像データＤinが、同期信号に同期して供給される。ここで、入力画像データＤinとは、各画素回路ＰXに対応する画素で表示すべき階調を規定するデータである。例えば、入力画像データＤinは、各画素で表示すべき階調を８ビットで規定するデジタルデータであってもよい。なお、以下では、入力画像データＤinのうち、第ｎ列に位置するＭ個の画素回路ＰXに対して階調を指定する入力画像データＤinを、入力画像データＤin[n]（ｎ＝１〜Ｎ）と表記し、第ｍ行第ｎ列に位置する１個の画素回路ＰX[m][n]に対して階調を指定する入力画像データＤinを、入力画像データＤin[m][n]（ｍ＝１〜Ｍ）と表記する場合がある。また、同期信号とは、例えば、垂直同期信号、水平同期信号、及び、ドットクロック信号を含む信号である。
【００３１】
信号生成回路２０は、上位装置から供給される同期信号に基づいて、電気光学パネル１０の動作を制御するための信号である制御信号Ｃtrを生成し、生成した制御信号Ｃtrを駆動回路４０に供給する。ここで、制御信号Ｃtrとは、例えば、パルス信号や、クロック信号、イネーブル信号等を含む信号である。なお、制御信号Ｃtrは、後述する極性信号Ｐを含むものであってもよい。
また、信号生成回路２０は、入力画像データＤinに基づいて、画像データＤxを生成し、これをデータ線駆動回路４４に対して供給する。本実施形態では、画像データＤxは、デジタルの信号であるが、アナログの信号であってもよい。
なお、以下では、画像データＤxのうち、入力画像データＤin[n]に基づいて生成される画像データＤxを、画像データＤx[n]（ｎ＝１〜Ｎ）と表記する場合がある。また、画像データＤx[n]のうち、入力画像データＤin[m][n]に基づいて生成される画像データＤxを、画像データＤx[m][n]（ｍ＝１〜Ｍ）と表記する場合がある。
【００３２】
図３は、信号生成回路２０の構成を示す機能ブロック図である。この図に示すように、信号生成回路２０は、同期信号に基づいて制御信号Ｃtr等の各種信号を生成する制御部２１と、入力画像データＤinに基づいて補正データＤhを生成する生成部２２と、補正データＤhに基づいて判定値Ｑを生成する特定部２５と、補正データＤh及び判定値Ｑに基づいて補正データＤhを更新して更新後補正データＤkを出力する更新部２６と、更新後補正データＤkに基づいて入力画像データＤinに対して縦クロストーク補正を施すことで画像データＤxを生成する補正部２７と、を備える。
以下、信号生成回路２０の各構成要素について、個別に説明する。
【００３３】
制御部２１は、上位装置から供給される同期信号に基づいて、制御信号Ｃtrを生成して、これを駆動回路４０に供給する。また、制御部２１は、生成した制御信号Ｃtrを、更新部２６や、補正部２７等、信号生成回路２０の各構要素に対して供給する（図示省略）。また、制御部２１は、制御信号Ｃtrまたは同期信号に基づいて、リセット信号ＲESと、極性信号Ｐとを生成する。
ここで、リセット信号ＲESとは、後述する第１記憶部２３２の記憶内容を初期化するための第１リセット信号ＲES1、及び、後述する第２記憶部２４２の記憶内容を初期化するための第２リセット信号ＲES2を含む信号である。また、極性信号Ｐとは、画像信号ＶD[n]の極性を表す信号である。
【００３４】
生成部２２は、入力画像データＤinに基づいて、入力画像データＤinに対する縦クロストーク補正を施す際に用いられる補正データＤhを生成する。より具体的には、生成部２２は、Ｎ本のデータ線３４と１対１に対応するＮ個の補正データＤh[1]〜Ｄh[N]を含む補正データＤhを生成する。このうち、補正データＤh[n]（ｎ＝１〜Ｎ）は、入力画像データＤinのうちｎ列目の画素回路ＰXに対応する入力画像データＤin[n]に対して縦クロストーク補正を施す際に用いられるデータである。
なお、補正データＤh[n]のうち、第ｍ行第ｎ列に位置する画素回路ＰX[m][n]に対応する入力画像データＤin[m][n]に対して縦クロストーク補正を施す際に用いられるデータを、補正データＤh[m][n]（ｍ＝１〜Ｍ）と表記する場合がある。つまり、補正データＤh[n]は、補正データＤh[1][n]〜Ｄh[M][n]を含む。
【００３５】
生成部２２は、第１行に位置する画素回路ＰXに対応する補正データＤhから順番に、補正データＤhを出力する。具体的には、生成部２２は、第１行に位置するＮ個の画素回路ＰXに対応する補正データＤh[1][n]（ｎ＝１〜Ｎ）→第２行に位置するＮ個の画素回路ＰXに対応する補正データＤh[2][n]（ｎ＝１〜Ｎ）→…→第Ｍ行に位置するＮ個の画素回路ＰXに対応する補正データＤh[M][n]（ｎ＝１〜Ｎ）、という順番に補正データＤhを生成してこれを出力する。
また、生成部２２は、各行に位置するＮ個の画素回路ＰXに対応するＮ個の補正データＤhについて、第１列の画素回路ＰXに対応する補正データＤhから順番に、補正データＤhを出力する。具体的には、生成部２２は、第ｍ行の補正データＤh[m][1]〜Ｄh[m][N]については、Ｄh[m][1]→Ｄh[m][2]→…→Ｄh[m][N]という順番に補正データＤhを生成して出力する。
【００３６】
生成部２２は、第１生成部２３、及び、第２生成部２４を備える。
このうち、第１生成部２３は、第１演算部２３１と、第１記憶部２３２とを備える。
第１記憶部２３２には、補正データＤhを生成するためのデータである第１積算データＤS1が記憶されている。第１積算データＤS1は、Ｎ本のデータ線３４と１対１に対応するＮ個の第１積算データＤS1[1]〜ＤS1[N]を含む。
第１演算部２３１は、入力画像データＤin及び極性信号Ｐに基づいて、第１記憶部２３２に記憶されている第１積算データＤS1を更新するとともに、第１リセット信号ＲES1に基づいて、第１積算データＤS1を初期化する。また、第１演算部２３１は、第１積算データＤS1に基づいて補正データＤhを生成する。より具体的には、第１演算部２３１は、補正データＤhを、第１積算データＤS1に対して負の係数を乗算することで生成する。
以下では、第１積算データＤS1[n]（ｎ＝１〜Ｎ）のうち、補正データＤh[m][n]を生成するための第１積算データＤS1を第１積算データＤS1[m][n]（ｍ＝１〜Ｍ）と表記する場合がある。すなわち、第１演算部２３１は、入力画像データＤin[m][n]に対して縦クロストーク補正を施すための補正データＤh[m][n]を、第１積算データＤS1[m][n]に対して負の係数を乗算することで生成する。
なお、第１演算部２３１は、極性信号Ｐの示す極性が負極性である場合にのみ、補正データＤhを生成する。
【００３７】
第２生成部２４は、第２演算部２４１と、第２記憶部２４２とを備える。
第２記憶部２４２には、補正データＤhを生成するためのデータである第２積算データＤS2が記憶されている。第２積算データＤS2は、Ｎ本のデータ線３４と１対１に対応するＮ個の第２積算データＤS2[1]〜ＤS2[N]を含む。
第２演算部２４１は、入力画像データＤin及び極性信号Ｐに基づいて、第２記憶部２４２に記憶されている第２積算データＤS2を更新するとともに、第２リセット信号ＲES2に基づいて、第２積算データＤS2を初期化する。また、第２演算部２４１は、第２積算データＤS2に基づいて補正データＤhを生成する。より具体的には、第２演算部２４１は、補正データＤhを、第２積算データＤS2に対して負の係数を乗算することで生成する。
以下では、第２積算データＤS2[n]（ｎ＝１〜Ｎ）のうち、補正データＤh[m][n]を生成するための第２積算データＤS2を第２積算データＤS2[m][n]（ｍ＝１〜Ｍ）と表記する場合がある。すなわち、第２演算部２４１は、入力画像データＤin[m][n]に対して縦クロストーク補正を施すための補正データＤh[m][n]を、第２積算データＤS2[m][n]に対して負の係数を乗算することで生成する。
第２演算部２４１は、極性信号Ｐの示す極性が正極性である場合にのみ、補正データＤhを生成する。すなわち、生成部２２は、極性信号Ｐの示す極性が負極性の場合には第１演算部２３１が補正データＤhを生成し、逆に、極性信号Ｐの示す極性が正極性の場合には第２演算部２４１が補正データＤhを生成する。
【００３８】
なお、以下では、第１積算データＤS1及び第２積算データＤS2を、積算データＤSと総称する場合がある。
生成部２２が備える第１演算部２３１及び第２演算部２４１において実行される積算データＤSを更新する処理及び初期化する処理、並びに、補正データＤhを生成する処理についての詳細は後述する。
【００３９】
特定部２５は、同一の走査線３２に対応して設けられ、走査線３２の延在方向において互いに隣り合う２つの画素回路ＰXに対応する２つの補正データＤhにより示される２つの値の差分である補正差分値ΔＤhが、所定の閾値δ以上であるか否かを判定する。具体的には、特定部２５は、まず、第ｍ行第ｎ−１列に位置する画素回路ＰX[m][n-1]に対応する補正データＤh[m][n-1]の示す値と、第ｍ行第ｎ列に位置する画素回路ＰX[m][n]に対応する補正データＤh[m][n]の示す値との差分である、補正差分値ΔＤhを算出する。次に、特定部２５は、算出した補正差分値ΔＤhが閾値δ以上であるか否かを判定する。
そして、特定部２５は、判定結果が肯定である場合には、当該２つの画素回路ＰXを境界画素回路として特定する。具体的には、特定部２５は、補正データＤh[m][n-1]の示す値と補正データＤh[m][n]の示す値との差分である補正差分値ΔＤhが閾値δ以上である場合、これら２つの補正データＤhに対応する２つの画素回路ＰX（画素回路ＰX[m][n-1]及びＰX[m][n]）を、境界画素回路として特定する。なお、以下では、境界画素回路を構成する２つの画素回路ＰXを区分する線分を、「境界」と称する場合がある。
【００４０】
また、以下では、画素回路ＰX[m][n-1]及びＰX[m][n]が境界画素回路として特定された場合、画素回路ＰX[m][n-1]を「第１画素回路」と称し、画素回路ＰX[m][n]を「第２画素回路」と称し、第ｎ−１列のデータ線３４を「第１のデータ線」と称し、第ｎ列のデータ線３４を「第２のデータ線」と称し、補正データＤh[m][n-1]を「第１の補正データ」と称し、補正データＤh[m][n]を「第２の補正データ」と称する場合がある。
【００４１】
特定部２５は、判定結果が肯定である場合には、判定値Ｑに対して、判定結果が肯定であることを示す値、例えば「１」を設定して、これを出力する。なお、特定部２５は、画素回路ＰX[m][n]及びＰX[m][n-1]を境界画素回路として特定した場合には、生成部２２が補正データＤh[m][n]を更新部２６に供給している期間内において、判定値Ｑを更新部２６に供給する。
一方、特定部２５は、判定結果が否定である場合には、判定値Ｑに対して、判定結果が否定であることを示す値、例えば、「０」を設定してこれを出力する。
【００４２】
更新部２６は、特定部２５が境界画素回路を特定した場合、当該境界画素回路を含み、走査線３２の延在方向において連続する所定数Ｚの画素回路ＰXを対象画素回路として特定する。ここで、所定数Ｚとは、予め定められた２以上の整数である。
例えば、生成部２２が、補正データＤh[m][n]を出力し、さらに、特定部２５が、画素回路ＰX[m][n]及び画素回路ＰX[m][n-1]を境界画素回路として特定して、判定結果が肯定であることを示す値「１」が設定された判定値Ｑを出力する場合を想定する。
この場合、更新部２６は、図１において画素回路ＰX[m][n]よりも左側（つまり、境界よりも左側）に位置し、画素回路ＰX[m][n-1]を含むＷ1個の画素回路ＰXと、図１において画素回路ＰX[m][n-1]よりも右側（つまり、境界よりも右側）に位置し、画素回路ＰX[m][n]を含むＷ2個の画素回路ＰXとからなる、走査線３２の延在方向において連続する「Ｗ1＋Ｗ2」個の画素回路ＰX[m][n-W1]〜ＰX[m][n+(W2-1)]を、対象画素回路として特定する。
ここで、値Ｗ1及び値Ｗ2は、Ｗ1＞０、Ｗ2＞０、及び、「Ｗ1＋Ｗ2＝Ｚ」を満たす、予め定められた正の整数である。また、本実施形態において、値Ｗ1及び値Ｗ2は等しい値である。
なお、以下では、対象画素回路のうち、境界よりも左側に位置する各画素回路ＰXを「左対象画素回路ＰXL」と称し、対象画素回路のうち、境界よりも右側に位置する画素回路ＰXを「右対象画素回路ＰXR」と称する場合がある。つまり、対象画素回路は、Ｗ1個の左対象画素回路ＰXLと、Ｗ2個の右対象画素回路ＰXRとからなる。
【００４３】
本実施形態において、値Ｗ1及び値Ｗ2はいずれも「４」とする。つまり、本実施形態において、所定数Ｚは「８」であり、画素回路ＰX[m][n]及び画素回路ＰX[m][n-1]が境界画素回路として特定された場合の対象画素回路は画素回路ＰX[m][n-4]〜ＰX[m][n+3]となる。
但し、「ｎ−４＜１」である場合、値Ｗ1は、例外的に、「ｎ−Ｗ1＝１」となる値に設定される。また、「ｎ＋３＞Ｎ」である場合、値Ｗ2は、例外的に、「ｎ＋Ｗ2−１＝Ｎ」となる値に設定される。
【００４４】
更新部２６は、対象画素回路を特定すると、対象画素回路を構成する所定数Ｚの画素回路ＰXに対応する所定数Ｚの補正データＤhにより示される所定数Ｚ個の値のそれぞれが、境界画素回路を構成する２つの画素回路ＰXに対応する２つの補正データＤhにより示される２つの値の間の値になるように修正する。
例えば、画素回路ＰX[m][n-1]及び画素回路ＰX[m][n]が境界画素回路として特定され、その結果、画素回路ＰX[m][n-W1]〜ＰX[m][n+(W2-1)]が対象画素回路として特定された場合、更新部２６は、対象画素回路に対応する所定数Ｚの補正データＤh[m][n-W1]〜Ｄh[m] [n+(W2-1)]により示される所定数Ｚ個の値のそれぞれが、境界画素回路に対応する２つの補正データＤh[m][n-1]及びＤh[m][n]により示される２つの値の間の値となるように修正することで、所定数Ｚの補正データＤh[m][n-W1]〜Ｄh[m][n+(W2-1)]と１対１に対応する、所定数Ｚの更新後補正データＤk[m][n-W1]〜Ｄk[m][n+(W2-1)]を生成する。
【００４５】
より具体的には、更新部２６は、補正データＤh[m][n-1]の示す値が、補正データＤh [m][n]の示す値よりも小さい値である場合、左対象画素回路ＰXLの各々に対応する補正データＤhの示す値に対して、修正値Ｃ1を加算することで、左対象画素回路ＰXLの各々に対応する更新後補正データＤkを生成し、右対象画素回路ＰXRの各々に対応する補正データＤhの示す値から、修正値Ｃ2を減算することで、右対象画素回路ＰXRの各々に対応する更新後補正データＤkを生成する。
つまり、この場合、例えば、更新後補正データＤk[m][n-W1]及びＤk[m][n+(W2-1)]の示す値は、それぞれ、以下の式（１）及び式（２）によって表される。なお、以下の式においては、記載の都合上、補正データＤhや更新後補正データＤk等の各種データの示す値を、「Ｄh」や「Ｄk」等のデータに対して付された符号により表現する。
Ｄk[m][n-W1]  ＝  Ｄh[m][n-W1]＋Ｃ1    …  式（１）
Ｄk[m][n+(W2-1)]  ＝  Ｄh[m][n+(W2-1)]−Ｃ2    …  式（２）
【００４６】
ここで、本実施形態に係る修正値Ｃ1及び修正値Ｃ2は予め定められた所定の値である。また、本実施形態に係る修正値Ｃ1及び修正値Ｃ2は互いに等しい値である。
なお、修正値Ｃ1及び修正値Ｃ2は、補正差分値ΔＤhに応じて定められる値であってもよい。例えば、修正値Ｃ1及び修正値Ｃ2は、補正差分値ΔＤhに対して１よりも小さい所定の係数、例えば「０．３」を乗じた値であってもよい。
【００４７】
一方、更新部２６は、補正データＤh[m][n-1]の示す値が、補正データＤh[m][n]の示す値よりも大きい値である場合、左対象画素回路ＰXLの各々に対応する補正データＤhの示す値から、修正値Ｃ1を減算することで、左対象画素回路ＰXLの各々に対応する更新後補正データＤkを生成し、右対象画素回路ＰXRの各々に対応する補正データＤhの示す値に対して、修正値Ｃ2を加算することで、右対象画素回路ＰXRの各々に対応する更新後補正データＤkを生成する。
つまり、この場合、例えば、更新後補正データＤk[m][n-W1]及びＤk[m][n+(W2-1)]の示す値は、それぞれ、以下の式（３）及び式（４）によって表される。
Ｄk[m][n-W1]  ＝  Ｄh[m][n-W1]−Ｃ1    …  式（３）
Ｄk[m][n+(W2-1)]  ＝  Ｄh[m][n+(W2-1)]＋Ｃ2    …  式（４）
【００４８】
更新部２６は、対象画素回路を特定し、且つ、補正データＤhを修正して更新後補正データＤkを生成するために必要な時間、生成部２２から供給された補正データＤh[m][n]を一時的に記憶する。
つまり、更新部２６は、生成部２２から供給された補正データＤh[m][n]を、生成部２２から補正データＤh[m][n+Z-1]が供給されるときまで保持した後に、当該補正データＤh[m] [n]に対応する更新後補正データＤk[m][n]生成し、生成した更新後補正データＤk[m][n]を出力する。
【００４９】
また、更新部２６は、補正データＤh[m][n]に対応する画素回路ＰX[m][n]が、対象画素回路ではない場合には、当該補正データＤh[m][n]を、生成部２２から補正データＤh[m] [n+Z-1]が供給されるまで保持した後に、当該補正データＤh[m][n]を更新後補正データＤk[m][n]として出力する。つまり、補正データＤh[m][n]に対応する画素回路ＰX[m][n]が、対象画素回路ではない場合には、更新後補正データＤk[m][n]は、補正データＤh[m][n]と等しい。
【００５０】
補正部２７は、更新部２６より供給される更新後補正データＤk[m][n]に基づいて、入力画像データＤin[m][n]に対して縦クロストーク補正を施すことで、画像データＤx[m][n]を生成する。より具体的には、補正部２７は、入力画像データＤin[m][n]に対して、更新後補正データＤk[m][n]を加算することで、画像データＤx[m][n]を生成する。
なお、補正部２７は、入力画像データＤin[m][n]と更新後補正データＤk[m][n]とを加算した加算値に対してガンマ補正を施すことで画像データＤx[m][n]を生成してもよい。
そして、補正部２７は、画像データＤx[m][n]をデータ線駆動回路４４に対して供給する。
【００５１】
図４は、電気光学装置１の動作を示すタイミングチャートである。
この図に示すように、電気光学装置１の動作期間は、複数の表示期間Ｆからなる。各表示期間Ｆは、所定長の単位期間Ｐ１と、単位期間Ｐ１に続く所定長の単位期間Ｐ２と、に区分される。
また、上述のとおり、データ線駆動回路４４は、単位期間毎に信号レベルを所定の基準電位Ｖrefを中心として反転させた画像信号ＶD[n]を、画像データＤx[n]に基づいて生成する。より具体的には、データ線駆動回路４４は、単位期間Ｐ１において、所定の基準電位Ｖrefに対して高電圧となる正極性の画像信号ＶD[n]を生成し、単位期間Ｐ２において、所定の基準電位Ｖrefに対して低電圧となる負極性の画像信号ＶD[n]を生成する。
制御部２１が生成する極性信号Ｐは、このような画像信号ＶD[n]の極性を表す。すなわち、極性信号Ｐがハイレベルの場合、画像信号ＶD[n]は正極性となり、極性信号Ｐがローレベルの場合、画像信号ＶD[n]は負極性となる。
【００５２】
リセット信号ＲESのうち、第１リセット信号ＲES1は、表示期間Ｆが開始されるタイミング、つまり、一の表示期間Ｆの単位期間Ｐ２が終了し、当該一の表示期間Ｆに後続する他の表示期間Ｆの単位期間Ｐ１が開始されるタイミングにおいてハイレベルとなる信号であり、第２リセット信号ＲES2は、各表示期間Ｆの単位期間Ｐ１が終了し、当該表示期間Ｆの単位期間Ｐ２が開始されるタイミングにおいてハイレベルとなる信号である。
生成部２２のうち、第１演算部２３１は、制御部２１から供給される第１リセット信号ＲES1の示す値がハイレベルとなると、第１記憶部２３２が記憶する第１積算データＤS1の内容を初期化し、第２演算部２４１は、制御部２１から供給される第２リセット信号ＲES2の示す値がハイレベルとなると、第２記憶部２４２が記憶する第２リセット信号ＲES2の内容を初期化する。
【００５３】
また、図４に示すように、第１演算部２３１は、単位期間Ｐ１において補正データＤhを生成するための準備を行う準備モードで動作し、単位期間Ｐ２において補正データＤhの生成を行う補正モードで動作する。一方、第２演算部２４１は、単位期間Ｐ２において準備モードで動作し、単位期間Ｐ１において補正モードで動作する。
【００５４】
以下、図５乃至図７を参照しつつ、生成部２２において実行される積算データＤS（第１積算データＤS1及び第２積算データＤS2）の更新（生成）及び初期化について説明する。
図５は、第１記憶部２３２が記憶する第１積算データＤS1[n]（ｎ＝１〜Ｎ）の内容の一例を示す説明図であり、図６は、第２記憶部２４２が記憶する第２積算データＤS2[n]（ｎ＝１〜Ｎ）の内容の一例を示す説明図である。また、図７は、第１演算部２３１が実行する第１積算データＤS1[n]の更新を説明するための説明図である。これらの図では、Ｍ＝６の場合、すなわち、各データ線３４に対応して６個（６行）の画素回路ＰXが設けられている場合を想定している。
【００５５】
図５に示すように、第１演算部２３１は、単位期間Ｐ１が開始されるタイミングで第１リセット信号ＲES1が供給されると、第１記憶部２３２の記憶内容を初期化する。
なお、本実施形態において、初期化とは、第１記憶部２３２または第２記憶部２４２の記憶する第１積算データＤS1[n]または第２積算データＤS2[n]の値に所定の初期値、例えば、「０」を設定する処理である。但し、初期化とは、例えば、第１記憶部２３２または第２記憶部２４２の記憶内容を消去する（または、Ｎｕｌｌ値を設定する）処理であってもよい。
【００５６】
単位期間Ｐ１が開始されると、第１演算部２３１は、第１記憶部２３２が記憶する第１積算データＤS1[n]に対して、入力画像データＤin[n]を加算または減算することで、第１積算データＤS1[n]を更新する。第１演算部２３１が、加算または減算のうち何れの演算を実行するかについては、極性信号Ｐの示す極性に基づいて定められる。
以下、第１演算部２３１が行う、第１積算データＤS1[n]を更新（生成）する処理の詳細について説明する。
【００５７】
図５に示すように、第１演算部２３１は、極性信号Ｐが正極性を示す単位期間Ｐ１において、第１記憶部２３２が記憶する第１積算データＤS1[n]に対して入力画像データＤin[n]を加算することで第１積算データＤS1[n]を更新する。
具体的には、第１演算部２３１は、まず、単位期間Ｐ１が開始されるタイミングで、第１記憶部２３２が記憶する第１積算データＤS1[n]に初期値「０」を設定することで、第１積算データＤS1[n]を初期化する。
次に、第１演算部２３１は、単位期間Ｐ１において最初に供給される入力画像データＤin[n]である入力画像データＤin[1][n]が供給されると、入力画像データＤin[1][n]の示す値「d11」と、第１記憶部２３２が記憶する第１積算データＤS1[n]の値「０」とを加算し、当該加算値「d11」を第１積算データＤS1[n]として第１記憶部２３２に記憶させることで第１積算データＤS1[n]を更新する。
次に、第１演算部２３１は、入力画像データＤin[2][n]が供給されると、入力画像データＤin[2][n]の示す値「d12」と、第１記憶部２３２が記憶する第１積算データＤS1[n]の値「d11」とを加算し、当該加算値「d11+d12」を第１積算データＤS1[n]として第１記憶部２３２に記憶させることで第１積算データＤS1[n]を更新する。
以後、第１演算部２３１は、単位期間Ｐ１が終了するまで同様の処理を繰り返す。この結果、単位期間Ｐ１が終了する時点で、第１記憶部２３２には、入力画像データＤin[1][n]〜Ｄin[6][n]の示す値「d11」〜「d16」の合計値「d11+d12+d13+d14+d15+d16」が第１積算データＤS1[n]として記憶されることになる。
【００５８】
このように、単位期間Ｐ１が終了する時点で、第１記憶部２３２には、図７（Ａ）に示すように、入力画像データＤin[n]を現在よりも単位時間だけ過去から現在まで積分した積分値Ｓ0（＝d11+d12+d13+d14+d15+d16）が、第１積算データＤS1[n]として記憶されている。換言すれば、単位期間Ｐ１が終了する時点で第１記憶部２３２に記憶されている第１積算データＤS1[n]は、画像信号ＶD[n]を現在よりも単位時間だけ過去から現在まで積分した積分値に対応する。
なお、上述のとおり、第１演算部２３１は、極性信号Ｐの示す極性が負極性である単位期間Ｐ２においてのみ、第１積算データＤS1に基づいて補正データＤhを生成する。すなわち、第１演算部２３１は、単位期間Ｐ１においては、第１積算データＤS1に基づいて補正データＤhを生成しない。
【００５９】
図５に示すように、第１演算部２３１は、極性信号Ｐが負極性を示す単位期間Ｐ２において、第１記憶部２３２が記憶する第１積算データＤS1[n]から入力画像データＤin[n]の示す値を２倍した値を減算することで、第１積算データＤS1[n]を更新する。
具体的には、第１演算部２３１は、単位期間Ｐ２が開始され、単位期間Ｐ２において最初に供給される入力画像データＤin[n]である入力画像データＤin[1][n]が供給されると、入力画像データＤin[1][n]の示す値「d21」を２倍した値を、第１記憶部２３２が記憶する第１積算データＤS1[n]の値「d11+d12+d13+d14+d15+d16」から減算し、当該減算値「d11+d12+ d13+d14+d15+d16-2*d21」を第１積算データＤS1[1][n]として第１記憶部２３２に記憶させることで第１積算データＤS1[n]を更新する。
次に、第１演算部２３１は、入力画像データＤin[2][n]が供給されると、入力画像データＤin[2][n]の示す値「d22」を２倍した値を、第１記憶部２３２が記憶する第１積算データＤS1[n]の値「d11+d12+d13+d14+d15+d16-2*d21」から減算し、当該減算値「d11+d12+d13 +d14+d15+d16-2*d21-2*d22」を第１積算データＤS1[2][n]としてとして第１記憶部２３２に記憶させることで第１積算データＤS1[n]を更新する。
以後、第１演算部２３１は、単位期間Ｐ２が終了するまで同様の処理を繰り返す。そして、第１演算部２３１は、単位期間Ｐ２が終了するタイミングで、または、単位期間Ｐ２が終了後のタイミングで、第１記憶部２３２が記憶する第１積算データＤS1[n]に初期値「０」を設定する。
【００６０】
表示部３０に表示される画像が静止画である場合、入力画像データＤinがある画素に対して単位期間Ｐ１において指定する表示階調と、単位期間Ｐ２において指定する表示階調とは等しい。
また、表示部３０に表示される画像が動画であり、画像の動きに伴う各画素の表示階調に変化が生じる場合であっても、単位期間（または表示期間）における各画素の表示階調の変化は、表示階調に変化が無いと看做せることができる程度に十分に小さいことが通常である。よって、表示部３０に表示される画像が動画である場合であっても、通常は、入力画像データＤinがある画素に対して単位期間Ｐ１において指定する表示階調と、単位期間Ｐ２において指定する表示階調とは、等しいと看做すことができる。
【００６１】
このように、単位期間Ｐ１における入力画像データＤin[1][n]の示す値「d11」は、単位期間Ｐ２における入力画像データＤin[1][n]の示す値「d21」と、等しいと看做すことができる。
よって、図７（Ａ）及び（Ｂ）に示すように、単位期間Ｐ２の開始時に第１記憶部２３２に記憶されている第１積算データＤS1[n]の示す値「d11+d12+d13+d14+d15+d16（＝積分値Ｓ0）」から入力画像データＤin[1][n]の示す値「d21」を減算した値は、値「d12+d13+d14+ d15+d16」と等しいと看做すことができる。そして、値「d12+d13+d14+d15+d16」から、値「d21」を減算した値は、図７（Ｂ）に示す積分値Ｓ1＝「d12+d13+d14+d15+d16-d21」と等しいと看做すことができる。すなわち、積分値Ｓ1と、第１積算データＤS1[1][n]とは、以下の式（５）に示すように、等しい値であると看做すことができる。
ＤS1[1][n]  ≒  Ｓ1  （＝d12+d13+d14+d15+d16-d21）  ……  式（５）
【００６２】
同様に、図７または以下の式（６）〜式（１０）に示すように、第１演算部２３１が単位期間Ｐ２において生成する第１積算データＤS1[2][n]〜ＤS1[6][n]についても、積分値Ｓ2〜Ｓ6と等しいと看做すことができる。
ＤS1[2][n]  ≒  Ｓ2  （＝d13+d14+d15+d16-d21-d22）  ……  式（６）
ＤS1[3][n]  ≒  Ｓ3  （＝d14+d15+d16-d21-d22-d23）  ……  式（７）
ＤS1[4][n]  ≒  Ｓ4  （＝d15+d16-d21-d22-d23-d24）  ……  式（８）
ＤS1[5][n]  ≒  Ｓ5  （＝d16-d21-d22-d23-d24-d25）  ……  式（９）
ＤS1[6][n]  ≒  Ｓ6  （＝-d21-d22-d23-d24-d25-d26）  ……  式（１０）
【００６３】
このように、第１演算部２３１が単位期間Ｐ２において生成する第１積算データＤS1[n]の示す値は、入力画像データＤin[n]を現在よりも単位時間だけ過去から現在まで積分した積分値と、等しい値であると看做すことができる。換言すれば、第１演算部２３１が単位期間Ｐ２において生成する第１積算データＤS1[m][n]は、画像信号ＶD[n]を現在よりも単位時間だけ過去から現在まで積分した積分値に対応する。
【００６４】
第２演算部２４１は、単位期間Ｐ２において、第１演算部２３１が単位期間Ｐ１で実行した入力画像データＤin[n]を積算データＤSに加算する処理を実行する。また、第２演算部２４１は、単位期間Ｐ１において、第１演算部２３１が単位期間Ｐ２で実行した入力画像データＤin[n]の示す値の２倍の値を積算データＤSから減算する処理を実行する。
具体的には、図６に示すように、第２演算部２４１は、単位期間Ｐ２が開始されるタイミングで第２リセット信号ＲES2が供給されると、第１記憶部２３２の記憶内容を初期化する。
単位期間Ｐ２が開始されると、第２演算部２４１は、第２記憶部２４２が記憶する第２積算データＤS2[n]に対して、入力画像データＤin[n]を加算することで第２積算データＤS2[n]を更新する。この結果、単位期間Ｐ２が終了する時点で、第２記憶部２４２には、入力画像データＤin[1][n]〜Ｄin[6][n]の示す値「d21」〜「d26」の合計値「d21+d22+d23+d24 +d25+d26」が第２積算データＤS2[n]として記憶されることになる。つまり、単位期間Ｐ２が終了する時点で、第２記憶部２４２には、入力画像データＤin[n]を現在よりも単位時間だけ過去から現在まで積分した積分値Ｓ0’（＝d21+d22+d23+d24+d25+d26）が、第２積算データＤS2[n]として記憶されている。
なお、上述のとおり、第２演算部２４１は、極性信号Ｐの示す極性が正極性である単位期間Ｐ１においてのみ、第２積算データＤS2に基づいて補正データＤhを生成する。すなわち、第２演算部２４１は、単位期間Ｐ２においては、第２積算データＤS2に基づいて補正データＤhを生成しない。
【００６５】
図６に示すように、第２演算部２４１は、単位期間Ｐ１において、第２記憶部２４２が記憶する第２積算データＤS2[n]から入力画像データＤin[n]の示す値を２倍した値を減算することで、第２積算データＤS2[n]を更新する。
具体的には、第１演算部２３１は、単位期間Ｐ１において第２積算データＤS2[1][n]〜ＤS2[6][n]を生成する。これら、第２積算データＤS2[1][n]〜ＤS2[6][n]は、以下に示すように、積分値Ｓ2’〜Ｓ6’と等しいと看做すことができる。
ＤS2[1][n]  ≒  Ｓ1’  （＝d22+d23+d24+d25+d26-d11）  ……  式（１１）
ＤS2[2][n]  ≒  Ｓ2’  （＝d23+d24+d25+d16-d11-d12）  ……  式（１２）
ＤS2[3][n]  ≒  Ｓ3’  （＝d24+d25+d26-d11-d12-d13）  ……  式（１３）
ＤS2[4][n]  ≒  Ｓ4’  （＝d25+d26-d11-d12-d13-d14）  ……  式（１４）
ＤS2[5][n]  ≒  Ｓ5’  （＝d26-d11-d12-d13-d14-d15）  ……  式（１５）
ＤS2[6][n]  ≒  Ｓ6’  （＝-d11-d12-d13-d14-d15-d16）  ……  式（１６）
【００６６】
このように、第２演算部２４１が単位期間Ｐ１において生成する第１積算データＤS1[n]の示す値は、入力画像データＤin[n]を現在よりも単位時間だけ過去から現在まで積分した積分値と、等しい値であると看做すことができる。換言すれば、第２演算部２４１が単位期間Ｐ１において生成する第２積算データＤS2[m][n]は、画像信号ＶD[n]を現在よりも単位時間だけ過去から現在まで積分した積分値に対応する。
【００６７】
以上に説明したように、本実施形態に係る電気光学装置１は、縦クロストーク補正を行う。この縦クロストーク補正を行うことによる効果を、図８を参照しつつ説明する。なお、図８では、電気光学装置１が、液晶素子６０に電圧が印加されていない状態において画素が黒表示となるノーマリーブラックモードである場合を想定する。また、図８では、縦クロストーク補正の効果の説明を簡潔化するために、信号生成回路２０が更新部２６を備えずに、補正データＤhに基づいて入力画像データＤinに対する縦クロストーク補正を行う場合を想定する。
電気光学装置１の表示部３０に、図８（Ａ）に示すような、灰色の背景Ａｇの中に白色のウインドウＡｗ（「オブジェクト」の一例）を表した静止画である画像を、縦クロストーク補正を行わずに表示させると、図８（Ｂ）に示すような縦クロストークが発生する。
【００６８】
より具体的には、図８（Ｂ）に示すように、ウインドウＡｗの上部領域Ａ１には、本来表示されるべき灰色に比べて明るい色が表示される。これは、ウインドウＡｗに位置する画素回路に画像信号ＶDwが供給されるときに、上部領域Ａ１に位置する画素回路が保持している画像信号ＶDa1が、画像信号ＶDwと同極性であることに起因する。
また、図８（Ｂ）に示すように、ウインドウＡｗの下部領域Ａ２には、本来表示されるべき灰色に比べて暗い色が表示される。これは、ウインドウＡｗに位置する画素回路に画像信号ＶDwが供給されるときに、下部領域Ａ２に位置する画素回路が保持している画像信号ＶDa2が、当該画像信号ＶDwと逆極性であることに起因する。
【００６９】
これに対して、補正データＤhに基づいて入力画像データＤinに対する縦クロストーク補正を行う場合、図５乃至図７からも明らかなように、表示部３０の上部領域Ａ１に位置する画素回路ＰXに対応する第１積算データＤS1[n]（例えば、図５の第１積算データＤS1[1][n]）または第２積算データＤS2[n]（例えば、図６の第２積算データＤS2[1][n]）は、正の値を示し、表示部３０の下部領域Ａ２に位置する画素回路ＰXに対応する第１積算データＤS1[n]（例えば、図５の第１積算データＤS1[6][n]）または第２積算データＤS2[n]（例えば、図６の第２積算データＤS2[6][n]）は、負の値を示す。
そのため、表示部３０の上部領域Ａ１に位置する画素回路ＰXに対応する補正データＤh[n]（例えば、補正データＤh[1][n]）は、負の値を示し、表示部３０の下部領域Ａ２に位置する画素回路ＰXに対応する補正データＤh[n]（例えば、補正データＤh[M][n]）は、正の値を示す。
よって、例えば、図８に示す例において、上部領域Ａ１に位置する画素回路には、本来表示されるべき灰色よりも暗い色を表示するような画像信号ＶDa1が供給され、下部領域Ａ２に位置する画素回路には、本来表示されるべき灰色よりも明るい色を表示するような画像信号ＶDa2が供給されることになる。その結果、図８（Ｂ）に示すような縦クロストークの発生を抑止し、図８（Ａ）に示すような、本来表示すべき画像を表示することが可能となる。
【００７０】
図９は、表示部３０に図８に示すような灰色の背景Ａｇの中に白色のウインドウＡｗを表した静止画である画像を表示させる場合において、補正データＤhに基づいて入力画像データＤinに対する縦クロストーク補正を行うときの、縦クロストークによる表示階調への影響の大きさと、補正データＤhとの関係を示す説明図である。
【００７１】
図９（Ａ）は、第ｍ行〜第ｍ＋２行の第ｎ−５列〜第ｎ＋１４列に位置する複数の画素回路ＰXに対応する複数の画素により表示される静止画が、灰色の背景の中に、第ｍ+1行〜第ｍ＋２行の第ｎ列〜第ｎ＋９列の領域に位置する白色のウインドウを含む場合を例示している。つまり、図９（Ａ）のうち、第ｍ行の第ｎ列〜第ｎ＋９列が上部領域Ａ１に相当し、第ｍ＋１行及び第ｍ＋２行の第ｎ列〜第ｎ＋９列がウインドウＡｗに相当する。
【００７２】
図９（Ｂ）は、縦クロストーク補正を行わずに、入力画像データＤinに基づいて画像データＤxを生成する場合に、第ｍ行の各画素が表示する階調と、これらの画素が本来表示すべき階調（入力画像データＤinが指定する階調）との、階調の差分である変化量ΔＧcを示している。
図９（Ｂ）に示すように、補正データＤhによる縦クロストーク補正を行わない場合、上部領域Ａ１である第ｍ行の第ｎ列〜第ｎ＋９列に位置する複数の画素は、縦クロストークによる影響を受ける。そのため、上部領域Ａ１に位置する各画素の表示階調は変化量ΔＧcだけ変化する。例えば、変化量ΔＧc＝「＋１０」である場合、補正データＤhによる縦クロストーク補正を行わなければ、上部領域Ａ１に位置する各画素は、本来表示するよりも「＋１０」だけ明るい色を表示する。
【００７３】
図９（Ｃ）は、第ｍ行に位置する複数の画素回路ＰXに対応する補正データＤhの示す値を示している。
図９（Ｃ）に示すように、図９（Ｂ）に示す縦クロストークによる表示階調への影響を相殺するために、上部領域Ａ１である第ｍ行の第ｎ列〜第ｎ＋９列に位置する複数の画素回路ＰXに対応する補正データＤhの値は「−１０」に設定される。
【００７４】
図９（Ｄ）は、図９（Ａ）のうち、第ｍ行に位置する複数の画素が実際に表示する階調と、これらの画素が本来表示すべき階調（入力画像データＤinが指定する階調）との、階調の差分である変化量ΔＧを示している。
各画素が実際に表示する階調は、入力画像データＤinが指定する階調と、縦クロストーク補正を行わない場合に生じる階調の変化量ΔＧcと、補正データＤhによる縦クロストーク補正を施すことによる階調の変化量（補正データＤhの示す階調の変化量）とを加算した値になる。よって、階調の変化量ΔＧは、階調の変化量ΔＧcと補正データＤhとを加算した値を示す。
【００７５】
図９（Ｄ）に示すように、上部領域Ａ１に位置する各画素について、変化量ΔＧcは「＋１０」であり、補正データＤhは「−１０」を示すため、変化量ΔＧは「０」となる。すなわち、図９の例のように、表示部３０に静止画を表示させる場合には、補正データＤhによる縦クロストーク補正を行うことで、上部領域Ａ１（第ｍ行の第ｎ列〜第ｎ＋９列）に位置する各画素において、入力画像データＤinが指定する本来表示すべき階調を表示させることができる。
【００７６】
なお、表示部３０に表示される画像が動画である場合には、例えば、表示部３０に表示される画像におけるウインドウＡｗの位置が、単位期間毎に移動する場合がある。
図１０は、一の単位期間において図８に示す位置に表示されていたウインドウＡｗが、当該一の単位期間に後続する他の単位期間において、移動量Ｍｖだけ図８において右側に移動した場合の、当該他の単位期間における表示部３０に表示される画像を示す。
図１０に示す上部領域Ａ１１及び上部領域Ａ１２は、図８に示す上部領域Ａ１に相当する位置であり、図１０に示す下部領域Ａ２１及び下部領域Ａ２２は、図８に示す下部領域Ａ２に相当する位置である。
なお、この図１０においても、図８と同様に、信号生成回路２０が更新部２６を備えずに、補正データＤhに基づいて入力画像データＤinに対する縦クロストーク補正を行う場合を想定する。
【００７７】
前述のとおり、他の単位期間において供給される入力画像データＤinに対して縦クロストーク補正を施すための補正データＤhは、当該他の単位期間に先行する一の単位期間において供給される入力画像データＤinに基づいて生成させる。すなわち、他の単位期間において生成される補正データＤhは、他の単位期間におけるウインドウＡｗの表示位置と、当該他の単位期間に先行する一の単位期間におけるウインドウＡｗの表示表示とが、同一の位置であることを前提として生成される。
【００７８】
よって、図１０の上部領域Ａ１１及び下部領域Ａ２１には、図においてｙ方向にウインドウＡｗが存在しないにもかかわらず、ｙ方向にウインドウＡｗが存在すると看做して縦クロストーク補正が行われた画像データＤxに基づく画像信号ＶD[n]が供給される。そのため、いわゆる「過補正」が生じ、上部領域Ａ１１では、本来表示されるべき灰色よりも暗い色が表示され、下部領域Ａ２１では、本来表示されるべき灰色よりも明るい色が表示されることになる。
【００７９】
また、上部領域Ａ１３及び下部領域Ａ２３には、図においてｙ方向にウインドウＡｗが存在するにもかかわらず、ｙ方向にウインドウＡｗが存在しないものと看做して縦クロストーク補正が行われていない画像データＤxに基づく画像信号ＶD[n]が供給される。そのため、上部領域Ａ１３及び下部領域Ａ２３では、縦クロストークが生じ、上部領域Ａ１３では、本来表示されるべき灰色よりも明るい色が表示され、下部領域Ａ２３では、本来表示されるべき灰色よりも暗い色が表示されることになる。
なお、上部領域Ａ１２及び下部領域Ａ２２では、図８に示す上部領域Ａ１及び下部領域Ａ２と同様に、縦クロストーク補正が施された画像信号ＶD[n]が供給されるため、本来表示されるべき灰色が表示される。
【００８０】
図１１は、表示部３０に図１０に示すような灰色の背景Ａｇの中に白色のウインドウＡｗを表した動画である画像を表示させる場合において、補正データＤhに基づいて入力画像データＤinに対する縦クロストーク補正を行うときの、縦クロストークによる表示階調への影響の大きさと、補正データＤhとの関係を示す説明図である。
【００８１】
図１１（Ａ）は、第ｍ行〜第ｍ＋２行の第ｎ−５列〜第ｎ＋１４列に位置する複数の画素回路ＰXに対応する複数の画素が、動画を表示する場合を例示している。より具体的には、図１１（Ａ）は、先行する一の単位期間において図９（Ａ）に示す位置にウインドウＡｗが表示された後、一の単位期間に後続する他の単位期間においてウインドウＡｗが図において右方向に２画素分移動した場合（移動量Ｍｖ＝「２」である場合）の、当該他の単位期間において表示部３０に表示される画像を示している。
つまり、図１１（Ａ）のうち、第ｍ＋１行及び第ｍ＋２行の第ｎ＋２列〜第ｎ＋１１列がウインドウＡｗに相当し、第ｍ行の第ｎ列及び第ｎ＋１列が上部領域Ａ１１に相当し、
第ｍ行の第ｎ＋２列〜第ｎ＋９列が上部領域Ａ１２に相当し、第ｍ行の第ｎ＋１０列及び第ｎ＋１１列が上部領域Ａ１３に相当する。
【００８２】
図１１（Ｂ）は、縦クロストーク補正を行わずに、入力画像データＤinに基づいて画像データＤxを生成する場合の、縦クロストークに起因する各画素の表示階調の変化量ΔＧcを示している。なお、図１１においても、図９と同様に、変化量ΔＧc＝「＋１０」である場合を想定する。
図１１（Ｂ）に示すように、補正データＤhによる縦クロストーク補正を行わない場合、上部領域Ａ１２または上部領域Ａ１３に位置する第ｍ行の第ｎ＋２列〜第ｎ＋１１列の各画素は、縦クロストークによる影響を受け、表示階調が変化量ΔＧcだけ変化するため、本来表示するよりも「＋１０」だけ明るい色を表示する。
【００８３】
図１１（Ｃ）は、第ｍ行に位置する複数の画素回路ＰXに対応する補正データＤhの示す値を示している。
図１１（Ｃ）に示す補正データＤhは、先行する単位期間において表示されたウインドウＡｗの位置が変化しないことを前提として生成される。そのため、補正データＤhは、上部領域Ａ１１または上部領域Ａ１２に位置する第ｍ行の第ｎ列〜第ｎ＋９列の各画素回路ＰXに対応する値が「−１０」となるように設定される。
【００８４】
図１１（Ｄ）は、図１１（Ａ）のうち、第ｍ行に位置する複数の画素が実際に表示する階調と、これらの画素が本来表示すべき階調との、階調の差分である変化量ΔＧを示している。
図１１（Ｄ）に示すように、上部領域Ａ１１に位置する各画素について、変化量ΔＧcは「０」であり、補正データＤhは「−１０」を示すため、変化量ΔＧは「−１０」となる。また、上部領域Ａ１２に位置する各画素について、変化量ΔＧcは「＋１０」であり、補正データＤhは「−１０」を示すため、変化量ΔＧは「０」となる。また、上部領域Ａ１３に位置する各画素について、変化量ΔＧcは「＋１０」であり、補正データＤhは「０」を示すため、変化量ΔＧは「＋１０」となる。
【００８５】
すなわち、図１１の例では、補正データＤhによる縦クロストーク補正を行う場合であっても、上部領域Ａ１１に位置する各画素は、本来表示すべき階調よりも「−１０」だけ暗い色を表示し、上部領域Ａ１３に位置する各画素は、本来表示すべき階調よりも「＋１０」だけ明るい色を表示することになる。
その結果、図１１において横方向（ｘ方向）に表示階調が大きく変化する（例えば、表示階調が１０以上の大きさで変化をする）表示階調変化部Ｅdgが４か所生じることになる。そして、当該表示階調変化部Ｅdgにおけるｘ方向の表示階調の変化が、電気光学装置１の利用者に視認される結果、電気光学装置１の表示品位が低下する。
【００８６】
これに対して、本実施形態に係る電気光学装置１は、信号生成回路２０が更新部２６を備え、補正データＤhを修正した更新後補正データＤkに基づいて入力画像データＤinに対する縦クロストーク補正を施す。これにより、表示部３０が表示する画像が動画である場合でも、更新部２６を備えずに補正データＤhに基づく縦クロストーク補正を行う場合と比較して、表示画像の中に発生する表示階調変化部Ｅdgの数を低減させ、動画の表示品位を高くすることが可能となる。
以下、具体的に、本実施形態に係る電気光学装置１の表示部３０に設けられる各画素が表示する階調と、更新後補正データＤkとの関係について説明する。
【００８７】
図１２は、表示部３０に図１１と同様の動画（つまり、灰色の背景Ａｇの中に白色のウインドウＡｗを表した動画）を表示させる場合において、更新後補正データＤkに基づいて入力画像データＤinに対する縦クロストーク補正を行うときの、縦クロストークによる表示階調への影響の大きさと、更新後補正データＤkとの関係を示す説明図である。
【００８８】
図１２（Ａ）は、第ｍ行〜第ｍ＋２行の第ｎ−５列〜第ｎ＋１４列に位置する複数の画素回路ＰXに対応する複数の画素が、図１１（Ａ）と同様の動画を表示する場合を例示している。より具体的には、図１２（Ａ）は、先行する一の単位期間において図９（Ａ）に示す位置にウインドウＡｗが表示された後、一の単位期間に後続する他の単位期間においてウインドウＡｗが図において右方向に２画素分移動した場合（移動量Ｍｖ＝「２」である場合）の、当該他の単位期間において表示部３０に表示される画像を示している。
つまり、図１２（Ａ）のうち、第ｍ＋１行及び第ｍ＋２行の第ｎ＋２列〜第ｎ＋１１列がウインドウＡｗに相当し、第ｍ行の第ｎ列及び第ｎ＋１列が上部領域Ａ１１に相当し、第ｍ行の第ｎ＋２列〜第ｎ＋９列が上部領域Ａ１２に相当し、第ｍ行の第ｎ＋１０列及び第ｎ＋１１列が上部領域Ａ１３に相当する。
【００８９】
図１２（Ｂ）は、縦クロストーク補正を行わずに、入力画像データＤinに基づいて画像データＤxを生成する場合の、縦クロストークに起因する各画素の表示階調の変化量ΔＧcを示している。なお、図１２においても、図９及び図１１と同様に、変化量ΔＧc＝「＋１０」である場合を想定する。
図１２（Ｂ）に示すように、縦クロストーク補正を行わない場合、図１１（Ｂ）と同様に、上部領域Ａ１２または上部領域Ａ１３に位置する各画素は、縦クロストークによる影響を受け、表示階調が変化量ΔＧcだけ変化し、本来表示するよりも「＋１０」だけ明るい色を表示する。
【００９０】
図１２（Ｃ）は、第ｍ行に位置する複数の画素回路ＰXに対応する更新後補正データＤkの示す値を示している。図１２（Ｃ）に示す更新後補正データＤkは、生成部２２が生成した図１１（Ｃ）に示す補正データＤhを、更新部２６において修正することで生成されたデータである。
【００９１】
より具体的には、表示部３０が図１２（Ａ）に示す動画を表示する場合、特定部２５は、図１２（Ａ）に示す第ｍ行の画素回路ＰXのうち、第ｎ−１列に位置する画素回路ＰX[m] [n-1]と、第ｎ列に位置する画素回路ＰX[m][n]とを、境界画素回路として特定するとともに、第ｎ＋９列に位置する画素回路ＰX[m][n+9]と、第ｎ＋１０列に位置する画素回路ＰX[m][n+10]とを、境界画素回路として特定する。
【００９２】
また、表示部３０が図１２（Ａ）に示す動画を表示する場合、更新部２６は、画素回路ＰX[m][n-4]〜ＰX[m][n+3]を、対象画素回路として特定するとともに、画素回路ＰX[m] [n+6]〜ＰX[m][n+13]を、対象画素回路として特定する。
そして、更新部２６は、対象画素回路である画素回路ＰX[m][n-4]〜ＰX[m][n+3]のうち、左対象画素回路ＰXLである画素回路ＰX[m][n-4]〜ＰX[m][n-1]に対応する補正データＤh [m][n-4]〜Ｄh[m][n-1]から、修正値Ｃ1を減算することで、更新後補正データＤk[m][n-4]〜Ｄk[m][n-1]を生成し、右対象画素回路ＰXRである画素回路ＰX[m][n]〜ＰX[m][n+3]に対応する補正データＤh[m][n]〜Ｄh[m][n+3]に対して、修正値Ｃ2を加算することで、更新後補正データＤk[m][n]〜Ｄk[m][n+3]を生成する。
また、更新部２６は、補正データＤh[m][n+6]〜Ｄh[m][n+9]に、修正値Ｃ1を加算することで、更新後補正データＤk[m][n+6]〜Ｄk[m][n+9]を生成し、補正データＤh[m][n+10]〜Ｄh[m][n+13]から、修正値Ｃ2を減算することで、更新後補正データＤk[m][n+10]〜Ｄk[m][n+13]を生成する。
また、更新部２６は、対象画素回路以外の画素回路に対応する補正データＤhを、更新後補正データＤkとする。
【００９３】
なお、以下では、修正値Ｃ1及び修正値Ｃ2が、「３」である場合を想定する。すなわち、補正データＤh[m][n-4]〜Ｄh[m][n-1]の各々の示す値は「０」であり、補正データＤh[m][n]〜Ｄh[m][n+3]の各々の示す値は「−１０」であるのに対して、更新後補正データＤk[m] [n-4]〜Ｄk[m][n-1]の各々の示す値は「−３」となり、更新後補正データＤk[m][n]〜Ｄk [m][n+3]の各々の示す値は「−７」となる。また、更新後補正データＤk[m][n+6]〜Ｄk[m][n+9]の各々の示す値は「−７」となり、更新後補正データＤk[m][n+10]〜Ｄk[m][n+13]の各々の示す値は「−３」となる。
【００９４】
図１２（Ｄ）は、図１２（Ａ）のうち、第ｍ行に位置する複数の画素が実際に表示する階調と、これらの画素が本来表示すべき階調との、階調の差分である変化量ΔＧを示している。図１２において、階調の変化量ΔＧは、階調の変化量ΔＧcと更新後補正データＤkとを加算した値を示す。
図１２（Ｄ）に示す例では、横方向（ｘ方向）に表示階調が大きく（例えば、１０以上）変化する表示階調変化部Ｅdgは、２か所となる。よって、図１２に示す例は、図１１に示す例と比較して、表示画像の中に発生する表示階調変化部Ｅdgの数が少なく、動画の表示品位が高い。
【００９５】
以上で説明したように、本実施形態に係る電気光学装置１は、生成部２２が生成する補正データＤhを、更新部２６において修正し、修正された補正データＤhである更新後補正データＤkに基づいて入力画像データＤinに対する縦クロストーク補正を施す。
そのため、本実施形態に係る電気光学装置１は、補正データＤhに基づいて入力画像データＤinに対する縦クロストーク補正を施す場合と比較して、表示部３０に動画を表示する際に生じる表示階調変化部Ｅdgの数を低減させることが可能となり、その結果、動画の表示品位を高めることが可能となる。
【００９６】
＜Ｂ．第２実施形態＞  
第１実施形態では、対象画素回路を構成する画素回路ＰXの個数である所定数Ｚ、左対象画素回路ＰXLを構成する画素回路ＰXの個数である値Ｗ1、及び、右対象画素回路ＰXRを構成する画素回路ＰXの個数である値Ｗ2が、予め定められた固定値であった。
これに対して、第２実施形態に係る電気光学装置は、所定数Ｚ、値Ｗ1、及び、値Ｗ2が、表示部に表示される画像に表されるオブジェクトの走査線３２の延在方向の移動量Ｍｖに基づいて定める点で、第１実施形態に係る電気光学装置１と相違する。以下、図１３及び図１４を参照しつつ、第２実施形態に係る電気光学装置について説明する。
【００９７】
第２実施形態に係る電気光学装置は、図３に示す信号生成回路２０の代わりに、図１３に示す信号生成回路２０ａを備える点を除き、第１実施形態に係る電気光学装置１と同様に構成されている。図１３に示す信号生成回路２０ａは、オブジェクトの移動量Ｍｖを検出する検出部２８を備える点と、更新部２６の代わりに更新部２６ａを備える点とを除き、図３に示す信号生成回路２０と同様に構成されている。更新部２６ａは、所定数Ｚを移動量Ｍｖに基づいて定める点を除き、更新部２６と同様に構成されている。
以下では、第２実施形態に係る電気光学装置について、作用や機能が第１実施形態と同等である要素については、第１実施形態の説明で参照した符号を流用して各々の詳細な説明を適宜に省略する（以下に例示する各形態についても同様とする）。
【００９８】
図１３に示すように、第２実施形態に係る電気光学装置が備える信号生成回路２０ａは、表示部３０に表示される画像の中に表されるオブジェクトの移動量Ｍｖを検出する検出部２８を備える。
ここで、オブジェクトとは、表示部３０に表示される画像の中に表される図形等であり、例えば、図１０等に示したウインドウＡｗ等がオブジェクトに相当する。
また、移動量Ｍｖとは、表示部３０に表示される画像の中に表されるオブジェクトの位置が移動する場合に、当該オブジェクトの走査線３２が延在する方向（ｘ方向）に対する単位時間における移動距離である。具体的には、移動量Ｍｖは、オブジェクトが単位時間においてｘ方向（または−ｘ方向）に移動した画素数を表す値である。
【００９９】
本実施形態において、検出部２８は、オブジェクトの移動量Ｍｖを、入力画像データＤinに基づいて検出する。より具体的には、検出部２８は、一の単位期間において供給される入力画像データＤinと、当該一の単位期間に後続する他の単位期間において供給される入力画像データＤinとを比較することで、オブジェクトの移動量Ｍｖを検出する。
なお、検出部２８は、入力画像データＤinに基づいてオブジェクトの移動量Ｍｖを検出する代わりに、特定部２５が特定した境界画素回路の位置を表す情報に基づいてオブジェクトの移動量Ｍｖを検出するものであっても構わない。例えば、検出部２８は、一の単位期間において特定部２５が特定した境界画素回路の位置と、当該一の単位期間に後続する他の単位期間において特定部２５が特定した境界画素回路の位置とを比較することにより、オブジェクトの移動量Ｍｖを検出するものであってもよい。
【０１００】
検出部２８は、検出したオブジェクトの移動量Ｍｖを、更新部２６ａに供給する。更新部２６ａは、移動量Ｍｖに基づいて所定数Ｚを定めることで、対象画素回路を特定する。より具体的には、更新部２６ａは、値Ｗ1及び値Ｗ2を、移動量Ｍｖと等しい値に設定する。これにより、更新部２６ａは、移動量Ｍｖと等しい個数の左対象画素回路ＰXLと、移動量Ｍｖと等しい個数の右対象画素回路ＰXRとからなる対象画素回路を特定する。
【０１０１】
図１４は、表示部３０に図１２と同様の動画（つまり、灰色の背景Ａｇの中に白色のウインドウＡｗを表した動画）を表示させる場合において、更新後補正データＤkに基づいて入力画像データＤinに対する縦クロストーク補正を行うときの、縦クロストークによる表示階調への影響の大きさと、更新後補正データＤkとの関係を示す説明図である。
図１４（Ａ）は、第ｍ行〜第ｍ＋２行の第ｎ−５列〜第ｎ＋１４列に位置する複数の画素回路ＰXに対応する複数の画素が、図１２（Ａ）と同様の動画を表示する場合を例示している。すなわち、図１４は、図１２に示す例と同様、オブジェクトであるウインドウＡｗの移動量Ｍｖが「２」の場合を例示している。
図１４（Ｂ）は、縦クロストーク補正を行わずに、入力画像データＤinに基づいて画像データＤxを生成する場合の、縦クロストークに起因する各画素の表示階調の変化量ΔＧcを示している。なお、図１４においても、図１２と同様に、変化量ΔＧc＝「＋１０」である場合を想定する。
【０１０２】
図１４（Ｃ）は、第ｍ行に位置する複数の画素回路ＰXに対応する更新後補正データＤkの示す値を示している。図１４（Ｃ）に示す更新後補正データＤkは、生成部２２が生成した図１１（Ｃ）に示す補正データＤhを、更新部２６ａにおいて修正することで生成されたデータである。
より具体的には、表示部３０に図１４（Ａ）に示す動画が表示され、特定部２５が、第ｍ行の画素回路ＰXのうち、第ｎ−１列に位置する画素回路ＰX[m][n-1]と、第ｎ列に位置する画素回路ＰX[m][n]とを、境界画素回路として特定する場合に、更新部２６ａは、左対象画素回路ＰXLとして移動量Ｍｖと同数である２つの画素回路ＰX[m][n-2]及びＰX[m] [n-1]を特定し、右対象画素回路ＰXRとして移動量Ｍｖと同数である２つの画素回路ＰX [m][n]及びＰX[m][n+1]を特定することで、対象画素回路を特定する。そして、更新部２６ａは、対象画素回路に対応する補正データＤhを修正することで更新後補正データＤkを生成する。
なお、図１４に示す例では、図１２と同様に、修正値Ｃ1及び修正値Ｃ2が、「３」である場合を想定する。すなわち、更新後補正データＤk[m][n-2]及びＤk[m][n-1]の各々の示す値は「−３」となり、更新後補正データＤk[m][n]及びＤk[m][n+1]の各々の示す値は「−７」となる。
【０１０３】
図１４（Ｄ）は、図１４（Ａ）のうち、第ｍ行に位置する複数の画素が実際に表示する階調と、これらの画素が本来表示すべき階調との、階調の差分である変化量ΔＧを示している。
図１４（Ｄ）に示す例では、ｘ方向に表示階調が大きく（例えば、１０以上）変化する表示階調変化部Ｅdgは存在しない。すなわち、本実施形態に係る電気光学装置は、表示階調変化部Ｅdgの発生を防止することが可能であり、第１実施形態に係る電気光学装置１と比較して、動画の表示品位を高くすることができる。
【０１０４】
＜Ｃ．変形例＞  
以上の各形態は多様に変形され得る。具体的な変形の態様を以下に例示する。以下の例示から任意に選択された２以上の態様は、相互に矛盾しない範囲内で適宜に併合され得る。
【０１０５】
＜変形例１＞
上述した実施形態では、修正値Ｃ1及び修正値Ｃ2は互いに等しい値であるが、修正値Ｃ1及び修正値Ｃ2は異なる値であっても構わない。
【０１０６】
＜変形例２＞
上述した実施形態及び変形例では、対象画素回路を左対象画素回路ＰXL及び右対象画素回路ＰXRの２つに分けることで、対象画素回路に対応する補正データＤhの示す値から、対象画素回路に対応する更新後補正データＤkの示す値を減算した減算値が、２値となるように更新後補正データＤkを生成するものであるが、本発明はこのような態様に限定されるものではなく、当該減算値が１値となるように更新後補正データＤkを生成するものであってもよい。また、減算値が３値以上となるように更新後補正データＤkを生成するものであってもよい。
具体的には、例えば図１２に示す例では、対象画素回路に対応する補正データＤhから更新後補正データＤkを減算した減算値は、「−３」及び「−７」の２値であったが、減算値が、「−２」、「−４」、「−６」、及び、「−８」の４値となるように、更新後補正データＤkを生成してもよい。この場合、境界画素回路の近傍における階調の変化をなだらかにすることができ、表示階調変化部Ｅdgが発生する確率を低減させることができる。
【０１０７】
＜変形例３＞
上述した実施形態及び変形例において、更新部２６（または、更新部２６ａ）は、対象画素回路を構成する所定数Ｚの画素回路ＰXに対応する所定数Ｚの更新後補正データＤkを、対象画素回路を構成する所定数Ｚの画素回路ＰXに対応する所定数Ｚの補正データＤhに基づいて定めるものであったが、本発明はこのような態様に限定されるものではなく、所定数Ｚの更新後補正データＤkを、境界画素回路を構成する２つの画素回路ＰXに対応する２つの補正データＤhに基づいて生成しても良い。
例えば、画素回路ＰX[m][n-1]及び画素回路ＰX[m][n]が境界画素回路として特定され、これら境界画素回路を含む対象画素回路が特定された場合、左対象画素回路ＰXLを構成するＷ1個の画素回路ＰXに対応するＷ1個の更新後補正データＤkの全てを、補正データＤh[m][n-1]の示す値に対して修正値Ｃ1を加算または減算した値とし、右対象画素回路ＰXRを構成するＷ2個の画素回路ＰXに対応するＷ2個の更新後補正データＤkの全てを、補正データＤh[m][n]の示す値に対して修正値Ｃ2を加算または減算した値とするものであってもよい。
【０１０８】
図１８は、本変形例に係る更新後補正データＤkの生成方法（以下、「方法Ｂ」と称する場合がある）を、上述した実施形態（例えば、第１実施形態）に係る更新後補正データＤkの生成方法（以下、「方法Ａ」と称する場合がある）と比較して説明するための説明図である。図１８では、画素回路ＰX[m][n-4]〜ＰX[m][n+3]の８つの画素回路ＰXが対象画素回路であり、画素回路ＰX[m][n-1]及びＰX[m][n]が境界画素回路である場合、すなわち、図１２と同様に、画素回路ＰX[m][n-4]〜ＰX[m][n-1]の４つの画素回路ＰXが左対象画素回路ＰXLであり、画素回路ＰX[m][n]〜ＰX[m][n+3]の４つの画素回路ＰXが右対象画素回路ＰXRである場合の、これら対象画素回路を構成する８つの画素回路ＰXに対応する８つの補正データＤh（図１８において「〇」で示す）及び８つの更新後補正データＤk（図１８において「●」で示す）の示す値を表している。より具体的には、図１８に示される６つのグラフの各々において、横軸は、各画素回路ＰXが配置される列の番号（この例では、第ｎ−４列〜第ｎ＋３列）を表し、縦軸は、各画素回路ＰXに対応する補正データＤh及び更新後補正データＤkの示す値を表している。
【０１０９】
図１８の例１は、図１１に示す例と同様に、左対象画素回路ＰXLに対応する４つの補正データＤhの示す４つの値が、補正データＤh[m][n-1]の示す値に等しく、右対象画素回路ＰXRに対応する４つの補正データＤhの示す４つの値が、補正データＤh[m][n]の示す値と等しい場合を示している。例１の場合、方法Ａ及び方法Ｂのいずれの方法によっても、左対象画素回路ＰXLに対応する４つの更新後補正データＤkの示す４つの値は、補正データＤh[m][n-1]から修正値Ｃ1を減算した値と等しくなり、右対象画素回路ＰXRに対応する４つの更新後補正データＤkの示す４つの値は、補正データＤh[m][n]に修正値Ｃ2を加算した値と等しくなる。
【０１１０】
図１８の例２及び例３は、図１１に示す例とは異なり、対象画素回路に対応する８つの補正データＤhの示す８つの値が、それぞれ異なる場合を示している。この場合、方法Ａによれば、左対象画素回路ＰXL（または、右対象画素回路ＰXR）に対応する４つの更新後補正データＤkの示す４つの値は、対応する補正データＤhの示す値から修正値Ｃ1を減算した値（または、修正値Ｃ2を加算した値）となる。つまり、例２及び例３の場合、方法Ａによれば、左対象画素回路ＰXL（または、右対象画素回路ＰXR）に対応する４つの更新後補正データＤkの示す４つの値は、それぞれ異なる値となる。
一方、本変形例に係る方法Ｂによれば、左対象画素回路ＰXL（または、右対象画素回路ＰXR）に対応する４つの更新後補正データＤkの示す４つの値の全てを、補正データＤh[m] [n-1]から修正値Ｃ1を減算した値（または、補正データＤh[m][n]に修正値Ｃ2を加算した値）と等しい値にすることができる。これにより、対象画素回路に対応する更新後補正データＤkの示す値を平準化することができ、特に例２に示すような場合において、隣り合う２つの画素回路ＰXに対応する２つの更新後補正データＤkの示す値が大きく異なることに起因して生じる表示階調変化部Ｅdgの発生を低減することが可能となる。
【０１１１】
なお、図１８に示す更新後補正データＤkの生成方法Ｂは、対象画素回路に対応する更新後補正データＤkを、境界画素回路を構成する２つの画素回路ＰXに対応する２つの補正データＤhに基づいて生成する場合の一例に過ぎず、例えば、対象画素回路を構成する所定数Ｚの画素回路ＰXに対応する所定数Ｚの更新後補正データＤkの全てを、補正データＤh[m][n-1]の示す値と補正データＤh[m][n]の示す値との間の一の値とするものであってもよい。要するに、対象画素回路に対応する更新後補正データＤkの示す値が、境界画素回路を構成する２つの画素回路ＰXに対応する２つの補正データＤhにより示される２つの値のうち、小さい方の値よりも大きく、且つ、大きい方の値よりも小さいように定められるのであれば、どのような方法により更新後補正データＤkを生成しても良い。
【０１１２】
＜変形例４＞
上述した実施形態及び変形例において、所定数Ｚの対象画素回路は、Ｗ1個の左対象画素回路ＰXLと、Ｗ2個の右対象画素回路ＰXRとを含み、値Ｗ1及び値Ｗ2は、互いに等しい正の値であったが、本発明はこのような態様に限定されるものではなく、値Ｗ1及び値Ｗ2は、異なる値であってもよい。また、値Ｗ1または値Ｗ2の一方が「０」であってもよい。この場合、所定数Ｚは「１」以上の整数であれば良い。
例えば、値Ｗ2を「０」とする場合、対象画素回路は、左対象画素回路ＰXLのみから構成される。この場合において、値Ｗ1を「１」とすると、対象画素回路は、境界画素回路を構成する２つの画素回路ＰXのうち一方（例えば、図１等において左側）の画素回路ＰXのみから構成されることになる。また、値Ｗ1を「０」とする場合、対象画素回路は、右対象画素回路ＰXRのみから構成される。この場合において、値Ｗ2を「１」とすると、対象画素回路は、境界画素回路を構成する２つの画素回路ＰXのうち他方（例えば、図１等において右側）の画素回路ＰXのみから構成されることになる。
このように、対象画素回路は、境界画素回路を構成する２つの画素回路ＰXのうち、少なくとも一方の画素回路ＰXを含むものであればよい。
【０１１３】
また、値Ｗ1または値Ｗ2の一方を「０」とする場合、境界画素回路を構成する２つの画素回路ＰXに対応する２つの補正データＤhの示す値に基づいて、値Ｗ1または値Ｗ2のうち何れの値を「０」とするかを定めてもよい。例えば、境界画素回路を構成する２つの画素回路ＰXのうち、境界から見て、補正データＤhの示す値の絶対値が大きい方の画素回路ＰXが位置する方向にのみ対象画素回路が存在するように、値Ｗ1及び値Ｗ2の値を定めてもよい。
【０１１４】
＜変形例５＞
上述した実施形態及び変形例において、生成部２２は、単位期間Ｐ２において補正データＤhを出力する第１生成部２３と、単位期間Ｐ１において補正データＤhを出力する第２生成部２４とを備えるが、本発明はこのような態様に限定されるものではなく、生成部２２は、第１生成部２３及び第２生成部２４のうち一方を備えるものであってもよい。
例えば、生成部２２が第２生成部２４を備えず第１生成部２３のみを備える場合、生成部２２は、単位期間Ｐ１では補正データＤhを出力せず、単位期間Ｐ２のみ補正データＤhを出力する。よって、この場合、補正部２７は、単位期間Ｐ１においては入力画像データＤinに対する縦クロストーク補正を施さず、単位期間Ｐ２においてのみ入力画像データＤinに対する縦クロストーク補正を施すものであってもよい。
なお、この場合、単位期間Ｐ１において表示部３０に表示される画像には、縦クロストークによる影響が生じ本来表示すべき階調とは異なる階調が表示されるため、単位期間Ｐ２において、上述した実施形態及び変形例よりも強い縦クロストーク補正を行うことが好ましい。つまり、この場合、生成部２２は、単位期間Ｐ２において生成する補正データＤhの示す値の絶対値が、上述した実施形態及び変形例における補正データＤh示す値の絶対値よりも大きい値となるような、補正データＤhを生成することが好ましい。
また、この場合、第１生成部２３は、１つの第１記憶部２３２の代わりに、２つの記憶部を備えるものであってもよい。第１生成部２３が２つの記憶部を備える場合、２つの記憶部のうち一方の記憶部は、単位期間Ｐ１において供給される入力画像データＤinの積算値を列毎に記憶し、他方の記憶部は単位期間Ｐ２において供給される入力画像データＤinの積算値を列毎に記憶するものであってもよい。そして、第１生成部２３が２つの記憶部を備える場合、第１演算部２３１は、単位期間Ｐ２において、２つの記憶部が記憶する２つの積算値に基づいて、補正データＤhを生成するものであればよい。
【０１１５】
＜変形例６＞
上述した実施形態及び変形例において、生成部２２は、一の単位期間において補正データＤh[n]を生成する場合に、当該一の単位期間の開始から現在までに供給される入力画像データＤin[n]と、当該一の単位期間に先行する他の単位期間の開始から終了までに供給された入力画像データＤin[n]とを積算することで、補正データＤh[n]を生成するが、本発明はこのような態様に限定されるものではなく、少なくとも、現在よりも単位時間だけ過去から現在までに供給される入力画像データＤin[n]に基づいて、補正データＤh[n]を生成すればよい。この場合、例えば、第１生成部２３において、第１記憶部２３２は、少なくとも現在よりも単位時間だけ過去から現在までに供給されたＭ個の入力画像データＤin[1] [n]〜Ｄin[M][n]を記憶し、第１演算部２３１は、第１記憶部２３２が記憶しているＭ個の入力画像データＤinを積算することで第１積算データＤS1[m][n]を生成し、当該第１積算データＤS1[m][n]に基づいて補正データＤh[m][n]を生成するものであってもよい。
【０１１６】
＜Ｄ．応用例＞
以上の各形態に例示した電気光学装置１は、各種の電子機器に利用され得る。図１５から図１７には、電気光学装置１を採用した電子機器の具体的な形態が例示されている。
【０１１７】
図１５は、電気光学装置１を適用した投射型表示装置（３板式のプロジェクター）４０００の模式図である。投射型表示装置４０００は、相異なる表示色（赤色，緑色，青色）に対応する３個の電気光学装置１（１０R，１０G，１０B）を含んで構成される。照明光学系４００１は、照明装置（光源）４００２からの出射光のうち赤色成分ｒを電気光学装置１Rに供給し、緑色成分ｇを電気光学装置１Gに供給し、青色成分ｂを電気光学装置１Bに供給する。各電気光学装置１は、照明光学系４００１から供給される各単色光を表示画像に応じて変調する光変調器（ライトバルブ）として機能する。投射光学系４００３は、各電気光学装置１からの出射光を合成して投射面４００４に投射する。観察者は、投射面４００４に投射された画像を視認する。
【０１１８】
図１６は、電気光学装置１を採用した可搬型のパーソナルコンピューターの斜視図である。パーソナルコンピューター２０００は、各種の画像を表示する電気光学装置１と、電源スイッチ２００１やキーボード２００２が設置された本体部２０１０とを具備する。
【０１１９】
図１７は、電気光学装置１を適用した携帯電話機の斜視図である。携帯電話機３０００は、複数の操作ボタン３００１及びスクロールボタン３００２と、各種の画像を表示する電気光学装置１とを備える。スクロールボタン３００２を操作することによって、電気光学装置１に表示される画面がスクロールされる。
【０１２０】
なお、本発明に係る電気光学装置が適用される電子機器としては、図１５から図１７に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【０１２１】
１……電気光学装置、１０……電気光学パネル、２０……信号生成回路、２１……制御部、２２……生成部、２３……第１生成部、２３１……第１演算部、２３２……第１記憶部、２４……第２生成部、２４１……第２演算部、２４２……第２記憶部、２５……特定部、２６……更新部、２７……補正部、２８……検出部、３０……表示部、３２……走査線、３４……データ線、４０……駆動回路、４２……走査線駆動回路、４４……データ線駆動回路、６０……液晶素子、ＰX……画素回路。
【図１】
2014178362.tif 000003
【図２】
2014178362.tif 000004
【図３】
2014178362.tif 000005
【図４】
2014178362.tif 000006
【図５】
2014178362.tif 000007
【図６】
2014178362.tif 000008
【図７】
2014178362.tif 000009
【図８】
2014178362.tif 000010
【図９】
2014178362.tif 000011
【図１０】
2014178362.tif 000012
【図１１】
2014178362.tif 000013
【図１２】
2014178362.tif 000014
【図１３】
2014178362.tif 000015
【図１４】
2014178362.tif 000016
【図１５】
2014178362.tif 000017
【図１６】
2014178362.tif 000018
【図１７】
2014178362.tif 000019
【図１８】
2014178362.tif 000020